(57)【特許請求の範囲】
【請求項１】
ワイヤレスデバイスによるワイヤレス通信のための方法であって、
第１のセルから、前記ワイヤレスデバイスが第２のセルとの独立した接続を確立することが許されるというインジケーションを受信することと、
前記第１のセルから選択パラメータを受信することと、
前記第１のセルから受信された前記選択パラメータに少なくとも部分的に基づいて前記第２のセルを自律的に識別および選択すること、前記第１のセルは、第１の基地局に関連付けられ、前記第２のセルは、第２の基地局に関連付けられ、前記第１のセルと前記第２のセルとが互いに通信している、と、
前記第２のセルとの前記独立した接続を確立することと、
前記第１のセルおよび前記第２のセルと同時に通信することと
を備える、方法。
【請求項２】
前記第１のセルから前記選択パラメータを受信することは、
前記第２のセルを選択すべき候補セルのセットを受信することを備える、
請求項１に記載の方法。
【請求項３】
前記候補セルのセットは、複数の無線アクセス技術（ＲＡＴ）のセルを備える、
請求項２に記載の方法。
【請求項４】
前記セット中の各候補セルは、
セル識別子、
グローバルセル識別子、
追跡エリアコード、
キャリア周波数、
ロケーションエリアコード、
ルーティングエリアコード、
サービスセット識別子（ＳＳＩＤ）、
基本サービスセット識別子（ＢＳＳＩＤ）、または
同種拡張サービスセット識別子（ＨＥＳＳＩＤ）
のうちの少なくとも１つによって識別される、請求項２に記載の方法。
【請求項５】
前記第２のセルの無線アクセス技術（ＲＡＴ）は、前記第１のセルのＲＡＴとは異なる、
請求項１に記載の方法。
【請求項６】
前記第１のセルと前記第２のセルが互いに通信していることは、バックホールリンクを介して通信していることを備える、または
前記第１のセルから受信された前記選択パラメータは、
基準信号受信電力、
基準信号受信品質、
ワイヤレスローカルエリアネットワーク（ＷＬＡＮ）負荷、
基本サービスセット（ＢＳＳ）負荷、または
ワイドエリアネットワーク（ＷＡＮ）メトリック
のうちの少なくとも１つを備える、または
前記第１のセルおよび前記第２のセルと同時に通信することは、
第１のコンポーネントキャリアを使用して前記第１のセルと通信することと、
第２のコンポーネントキャリアを使用して前記第２のセルと通信することと
を備える、請求項１に記載の方法。
【請求項７】
前記第２のセルとの前記独立した接続を確立することは、
前記第２のセルに初期アクセスメッセージを送信することと、
前記第２のセルから応答メッセージを受信することと
を備え、前記応答メッセージは、前記初期アクセスメッセージに応答する、
請求項１に記載の方法。
【請求項８】
候補セルのセット中の各候補セルに関連するパラメータを決定することと、
前記第２のセルに関連する前記決定されたパラメータに少なくとも部分的に基づいて前記セットから前記第２のセルを選択することと
をさらに備える、または
バッファ中のアップリンクデータの量がしきい値を上回るかどうかを決定することと、
前記バッファ中のアップリンクデータの前記量が前記しきい値を上回るとき、前記第２のセルとの前記独立した接続を確立することと
をさらに備える、または
前記第１のセルからセル負荷インジケーションを受信することと、
前記第１のセルから受信された前記セル負荷インジケーションに少なくとも部分的に基づいて前記第２のセルとの前記独立した接続を確立することと
をさらに備える、または
前記第２のセルからセル負荷インジケーションを受信することと、
前記第２のセルから受信された前記セル負荷インジケーションに少なくとも部分的に基づいて前記第２のセルを選択することと
をさらに備える、請求項１に記載の方法。
【請求項９】
利用可能なアップリンクデータがあるかどうかを検出することと、
利用可能なアップリンクデータが検出されるとき、前記第２のセルとの前記独立した接続を確立することと
をさらに備える、請求項１に記載の方法。
【請求項１０】
前記独立した接続は、前記検出されたアップリンクデータに関連するアプリケーションのタイプに少なくとも部分的に基づいて前記第２のセルとの間で確立される、
請求項９に記載の方法。
【請求項１１】
利用可能なダウンリンクデータがあるかどうかを検出することと、
利用可能なダウンリンクデータが検出されるとき、前記第２のセルとの前記独立した接続を確立することと
をさらに備える、請求項１に記載の方法。
【請求項１２】
前記独立した接続は、前記検出されたダウンリンクデータに関連するアプリケーションのタイプに少なくとも部分的に基づいて前記第２のセルとの間で確立される、
請求項１１に記載の方法。
【請求項１３】
前記第１のセルおよび前記第２のセルと同時に通信することは、
前記第１のセルに関連する第１のスケジューラに従って前記第１のセルと通信しながら、前記第２のセルに関連する第２のスケジューラに従って前記第２のセルと同時に通信すること
を備える、請求項１に記載の方法。
【請求項１４】
請求項１乃至１３に記載の方法のいずれか１項のステップを実行するように構成された手段を備える、
ワイヤレス通信のための装置。
【請求項１５】
ワイヤレス通信のためのコンピュータプログラムであって、
請求項１乃至１３のいずれか１項のステップを実行すること
を行うための、プロセッサによって実行可能な命令を備える、
コンピュータプログラム。
【発明の詳細な説明】
【関連出願】
【０００１】
[0001]本特許出願は、各々が本出願の譲受人に譲渡された、２０１４年４月１１日に出願された、「UE Initiated SCell Connection Establishment」と題する、Ｇｈｅｏｒｇｈｉｕらによる米国特許出願第１４／２５１，１５２号、および２０１３年４月１６日に出願された、「UE Initiated SCell Connection Establishment」と題する、Ｇｈｅｏｒｇｈｉｕらによる米国仮特許出願第６１／８１２，５８２号の優先権を主張する。
【背景技術】
【０００２】
[0002]以下は、一般にワイヤレス通信に関する。ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および出力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００３】
[0003]概して、ワイヤレス多元接続通信システムは、各々が複数のワイヤレスデバイス（たとえば、ユーザ機器またはＵＥ）のための通信を同時にサポートする、いくつかの基地局（たとえば、ｅＮＢ）を含み得る。基地局は、ダウンストリームリンクおよびアップストリームリンク上でワイヤレスデバイスと通信し得る。各基地局は、セルのカバレージエリアと呼ばれることがあるカバレージ範囲を有する。
【０００４】
[0004]場合によっては、ワイヤレスデバイスは、コロケートされない複数のセルまたはセルレイヤ（すなわち、各セルは、異なる基地局に関連付けられている）と通信する必要があり得る。たとえば、ワイヤレスデバイスは、マクロセル（たとえば、ＰＣｅｌｌ）と通信していることがあり、スモールセル（たとえば、ＳＣｅｌｌ）と通信する必要もあり得る。しかしながら、ワイヤレスデバイスとスモールセルとの間の接続は、通信ボトルネックを回避するのに十分高速に行われないことがある。
【発明の概要】
【０００５】
[0005]ワイヤレスデバイスによるワイヤレス通信のための方法、システム、および装置について説明する。一実施形態では、選択パラメータが第１のセルから受信され得る。ワイヤレスデバイスは、第２のセルを識別および選択するために選択パラメータを使用し得る。したがって、第２のセルの識別および選択は、第１のセルから受信された選択パラメータに少なくとも部分的に基づき得る。第１のセルは第１の基地局に関連付けられ得、第２のセルは第２の基地局に関連付けられ得る。一構成では、第１のセルと第２のセルとは互いに通信していることがある。ワイヤレスデバイスは、識別および選択された第２のセルとの独立した接続を確立し得る。さらに、ワイヤレスデバイスは、第１のセルおよび第２のセルと同時に通信し得る。場合によっては、第２のセルの無線アクセス技術（ＲＡＴ）は第１のセルのＲＡＴとは異なる。一例では、第１のセルはマクロセルに対応し、第２のセルはスモールセルに対応する。
【０００６】
[0006]いくつかの実施形態では、ワイヤレスデバイスによるワイヤレス通信のための方法は、第１のセルから選択パラメータを受信することと、第１のセルから受信された選択パラメータに少なくとも部分的に基づいて第２のセルを識別および選択することと、第１のセルが第１の基地局に関連付けられ、第２のセルが第２の基地局に関連付けられ、第１のセルと第２のセルとが互いに通信している、第２のセルとの独立した接続を確立することと、第１のセルおよび第２のセルと同時に通信することとを含む。
【０００７】
[0007]いくつかの実施形態では、ワイヤレス通信のためのデバイスは、プロセッサと、プロセッサと電子通信しているメモリとを含む。メモリは、第１のセルから選択パラメータを受信することと、第１のセルから受信された選択パラメータに少なくとも部分的に基づいて第２のセルを識別および選択することと、第１のセルが第１の基地局に関連付けられ、第２のセルが第２の基地局に関連付けられ、第１のセルと第２のセルとが互いに通信している、第２のセルとの独立した接続を確立することと、第１のセルおよび第２のセルと同時に通信することとを行うようにプロセッサによって実行可能な命令を実装し得る。
【０００８】
[0008]いくつかの実施形態では、ワイヤレス通信のための装置は、第１のセルから選択パラメータを受信するための手段と、第１のセルから受信された選択パラメータに少なくとも部分的に基づいて第２のセルを識別および選択するための手段と、第１のセルが第１の基地局に関連付けられ、第２のセルが第２の基地局に関連付けられ、第１のセルと第２のセルとが互いに通信している、第２のセルとの独立した接続を確立するための手段と、第１のセルおよび第２のセルと同時に通信するための手段とを含む。
【０００９】
[0009]いくつかの実施形態では、ワイヤレス通信のためのコンピュータプログラム製品は、第１のセルから選択パラメータを受信することと、第１のセルから受信された選択パラメータに少なくとも部分的に基づいて第２のセルを識別および選択することと、第１のセルが第１の基地局に関連付けられ、第２のセルが第２の基地局に関連付けられ、第１のセルと第２のセルとが互いに通信している、第２のセルとの独立した接続を確立することと、第１のセルおよび第２のセルと同時に通信することとを行うようにプロセッサによって実行可能な命令を記憶する非一時的コンピュータ可読媒体を含む。
【００１０】
[0010]上記で説明した方法、デバイス、装置、および／またはコンピュータプログラム製品の様々な実施形態では、第１のセルから選択パラメータを受信することが、第２のセルを選択すべき候補セルのセットを受信することを含み得る。いくつかの実施形態では、候補セルのセットは、複数の無線アクセス技術（ＲＡＴ）のセルを含む。追加または代替として、セット中の各候補セルは、セル識別子、グローバルセル識別子、追跡エリアコード、キャリア周波数、ロケーションエリアコード、ルーティングエリアコード、サービスセット識別子（ＳＳＩＤ）、基本サービスセット識別子（ＢＳＳＩＤ）、または同種拡張サービスセット識別子（ＨＥＳＳＩＤ：homogenous extended service set identifier）のうちの少なくとも１つによって識別され得る。
【００１１】
[0011]上記で説明した方法、デバイス、装置、および／またはコンピュータプログラム製品の様々な実施形態では、第２のセルの無線アクセス技術（ＲＡＴ）は第１のセルのＲＡＴとは異なり得る。追加または代替として、第１のセルと第２のセルとの間の通信は、バックホールリンクを介して通信され得る。
【００１２】
[0012]上記で説明した方法、デバイス、装置、および／またはコンピュータプログラム製品の様々な実施形態では、第１のセルから受信された選択パラメータは、基準信号受信電力、基準信号受信品質、ワイヤレスローカルエリアネットワーク（ＷＬＡＮ）負荷、基本サービスセット（ＢＳＳ）負荷、またはワイドエリアネットワーク（ＷＡＮ）メトリックのうちの少なくとも１つを含み得る。いくつかの実施形態では、第１のセルおよび第２のセルと同時に通信することは、第１のコンポーネントキャリアを使用して第１のセルと通信することと、第２のコンポーネントキャリアを使用して第２のセルと通信することとを含む。追加または代替として、第２のセルとの独立した接続を確立することは、第２のセルに初期アクセスメッセージを送信することと、第２のセルから応答メッセージを受信することと、応答メッセージが初期アクセスメッセージに応答する、を含み得る。
【００１３】
[0013]いくつかの実施形態では、上記で説明した方法、デバイス、装置、および／またはコンピュータプログラム製品はまた、第１のセルから、ワイヤレスデバイスが第２のセルとの独立した接続を確立することが許されるというインジケーションを受信することを行う特徴、それを行うためのステップ、それを行うための手段、および／またはそれを行うためのプロセッサ実行可能命令を含み得る。
【００１４】
[0014]いくつかの実施形態では、上記で説明した方法、デバイス、装置、および／またはコンピュータプログラム製品はまた、候補セルのセット中の各候補セルに関連するパラメータを決定することと、第２のセルに関連する決定されたパラメータに少なくとも部分的に基づいてセットから第２のセルを選択することとを行う特徴、それを行うためのステップ、それを行うための手段、および／またはそれを行うためのプロセッサ実行可能命令を含み得る。
【００１５】
[0015]いくつかの実施形態では、上記で説明した方法、デバイス、装置、および／またはコンピュータプログラム製品はまた、バッファ中のアップリンクデータの量がしきい値を上回るかどうかを決定することと、バッファ中のアップリンクデータの量がしきい値を上回るとき、第２のセルとの独立した接続を確立することとを行う特徴、それを行うためのステップ、それを行うための手段、および／またはそれを行うためのプロセッサ実行可能命令を含み得る。
【００１６】
[0016]いくつかの実施形態では、上記で説明した方法、デバイス、装置、および／またはコンピュータプログラム製品はまた、利用可能なアップリンクデータがあるかどうかを検出することと、利用可能なアップリンクデータが検出されるとき、第２のセルとの独立した接続を確立することとを行う特徴、それを行うためのステップ、それを行うための手段、および／またはそれを行うためのプロセッサ実行可能命令を含み得る。独立した接続は、検出されたアップリンクデータに関連するアプリケーションのタイプに少なくとも部分的に基づいて第２のセルとの間で確立される。
【００１７】
[0017]いくつかの実施形態では、上記で説明した方法、デバイス、装置、および／またはコンピュータプログラム製品はまた、利用可能なダウンリンクデータがあるかどうかを検出することと、利用可能なダウンリンクデータが検出されるとき、第２のセルとの独立した接続を確立することとを行う特徴、それを行うためのステップ、それを行うための手段、および／またはそれを行うためのプロセッサ実行可能命令を含み得る。独立した接続は、検出されたダウンリンクデータに関連するアプリケーションのタイプに少なくとも部分的に基づいて第２のセルとの間で確立される。
【００１８】
[0018]いくつかの実施形態では、上記で説明した方法、デバイス、装置、および／またはコンピュータプログラム製品はまた、第１のセルからセル負荷インジケーションを受信することと、第１のセルから受信されたセル負荷インジケーションに少なくとも部分的に基づいて第２のセルとの独立した接続を確立することとを行う特徴、それを行うためのステップ、それを行うための手段、および／またはそれを行うためのプロセッサ実行可能命令を含み得る。
【００１９】
[0019]いくつかの実施形態では、上記で説明した方法、デバイス、装置、および／またはコンピュータプログラム製品はまた、第２のセルからセル負荷インジケーションを受信することと、第２のセルから受信されたセル負荷インジケーションに少なくとも部分的に基づいて第２のセルを選択することとを行う特徴、それを行うためのステップ、それを行うための手段、および／またはそれを行うためのプロセッサ実行可能命令を含み得る。追加または代替として、第１のセルおよび第２のセルと同時に通信することは、第１のセルに関連する第１のスケジューラに従って第１のセルと通信しながら、第２のセルに関連する第２のスケジューラに従って第２のセルと同時に通信することを含み得る。
【００２０】
[0020]上記では、以下の発明を実施するための形態がより良く理解され得るために、本開示による例の特徴および技術的利点について概説した。以下で、追加の特徴および利点について説明する。開示する概念および具体例は、本開示の同じ目的を実行するための他の構造を変更または設計するための基礎として容易に利用され得る。そのような構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で与えられ、特許請求の範囲の限界を定めるものではない。
【図面の簡単な説明】
【００２１】
[0021]以下の図面を参照すれば、本開示の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれにも適用可能である。
【図１】様々な実施形態による、ワイヤレス通信システムの一例を示す図。
【図２Ａ】様々な実施形態による、非コロケートセルの一例を示す図。
【図２Ｂ】様々な実施形態による、非コロケートセルの一例を示す図。
【図３Ａ】様々な実施形態による、非コロケートセル中のキャリアアグリゲーションの例を示す図。
【図３Ｂ】様々な実施形態による、非コロケートセル中のキャリアアグリゲーションの例を示す図。
【図３Ｃ】様々な実施形態による、非コロケートセル中のキャリアアグリゲーションの例を示す図。
【図４Ａ】様々な実施形態による、ユーザ機器と第２のセルとの間に独立した接続を確立するためのコールフローの一例を示す図。
【図４Ｂ】様々な実施形態による、ユーザ機器と第２のセルとの間に独立した接続を確立するためのコールフローの一例を示す図。
【図４Ｃ】様々な実施形態による、ユーザ機器と第２のセルとの間に独立した接続を確立するためのコールフローの一例を示す図。
【図５】様々な実施形態による、ＳＣｅｌｌ接続を確立および解放するように構成されたデバイスの一例を示すブロック図。
【図６Ａ】様々な実施形態による、ＳＣｅｌｌ接続を確立および解放するように構成されたユーザ機器モジュールの一例を示すブロック図。
【図６Ｂ】様々な実施形態による、ＳＣｅｌｌ接続に関する態様を処理するように構成されたＰＣｅｌｌモジュールの一例を示すブロック図。
【図６Ｃ】様々な実施形態による、ＳＣｅｌｌ接続に関する態様を処理するように構成されたＳＣｅｌｌモジュールの一例を示すブロック図。
【図７】様々な実施形態による、ユーザ機器の一例を示すブロック図。
【図８】様々な実施形態による、基地局の一例を示すブロック図。
【図９】様々な実施形態による、基地局とユーザ機器とを含むＭＩＭＯ通信システムのブロック図。
【図１０】様々な実施形態による、ワイヤレスデバイスによってＳＣｅｌｌ接続を確立するための方法の一例のフローチャート。
【図１１】様々な実施形態による、ワイヤレスデバイスによってＳＣｅｌｌ接続を確立するための方法の別の例のフローチャート。
【図１２】様々な実施形態による、ワイヤレスデバイスによってＳＣｅｌｌ接続を確立するための方法のまた別の例のフローチャート。
【図１３】様々な実施形態による、ＳＣｅｌｌ接続を確立することに関するＰＣｅｌｌの態様のための方法の一例のフローチャート。
【図１４】様々な実施形態による、ＰＣｅｌｌによってＳＣｅｌｌ接続を確立することに関するＰＣｅｌｌの態様のための方法の別の例のフローチャート。
【図１５】様々な実施形態による、ＳＣｅｌｌによってＳＣｅｌｌ接続を確立することに関する態様を処理するための方法の一例のフローチャート。
【図１６】様々な実施形態による、ＳＣｅｌｌによってＳＣｅｌｌ接続を確立することに関する態様を処理するための方法の別の例のフローチャート。
【発明を実施するための形態】
【００２２】
[0040]説明する実施形態は、ワイヤレス通信のための方法、システム、デバイス、および装置を対象とし、ここで、ワイヤレスデバイス（たとえば、ＵＥ）は、スモールセル（たとえば、セカンダリセルまたはＳＣｅｌｌ）などの第２のセルを識別および選択し、マクロセル（たとえば、プライマリセルまたはＰＣｅｌｌ）などのプライマリセルから受信された選択パラメータに少なくとも部分的に基づいて第２のセルとの独立した接続を直接確立し得る。選択パラメータは、電力および／または品質パラメータ、選択を行うべき候補セルのアズウェルズアズリストまたはセットを含み得る。マクロセルとスモールセルとは、互いに通信しているが、同じ基地局またはｅＮＢに関連付けられる必要はない（すなわち、セルはコロケートされないことがある）。ワイヤレスデバイスとスモールセルとの間の接続が確立されると、ワイヤレスデバイスは両方のセルと同時に通信することが可能になる。
【００２３】
[0041]通信のために利用可能なアップリンクデータおよび／またはダウンリンクデータを有することは、ワイヤレスデバイスとスモールセルとの間の接続の確立をトリガし得る。たとえば、スモールセル接続は、アップリンク／ダウンリンクデータがあるサービス品質（ＱｏＳ）および／またはベアラ識別子に関連付けられたときにデータ通信のために使用され得る。適切なタイプのアップリンクデータおよび／またはダウンリンクデータの利用可能性に応答して、マクロセルは、先に進み、自律的に（たとえば、マクロセルからの関与なしに）スモールセルを選択するようにワイヤレスデバイスにコマンドを送信し得る。スモールセルが識別および選択されると、ワイヤレスデバイスは、選択されたスモールセルとの独立した接続を直接確立し得る。
【００２４】
[0042]マクロセルによる関与なしに１つまたは複数のスモールセルに効果的に迅速に接続するワイヤレスデバイスの能力は、ワイヤレスネットワークが複数の周波数レイヤを使用する可能性が高く、各レイヤ上のネットワーク展開／トポロジーが異なるという現在の傾向に鑑みて望ましいことがある。たとえば、ワイヤレスデバイスは、比較的低い周波数（たとえば、２．５ＧＨｚ以下）を使用するマクロセルに関連する１つのカバレージレイヤの下にあり得、ホットスポット方式（たとえば、３．５ＧＨｚ）で展開されたスモールセルを使用してデータ容量を与える別のカバレージレイヤの下にあり得る。マクロセルレイヤは、連続カバレージを有し得、モビリティおよび制御シグナリングのために使用され得る。一方、スモールセルレイヤは、高データレートを与えるために使用され得、ワイヤレスデバイスは、高データレートでの通信を迅速に可能にするために、スモールセルへの接続を迅速に低シグナリング負荷でセットアップする必要があり得る。このシナリオは例として与えられること、３つ以上のレイヤが関与し得ること、および／またはこれらのレイヤの各々が、それら自体複数の周波数レイヤを含み得る（たとえば、マクロセル展開とスモールセル展開とが複数の周波数レイヤ上に存在し得る）ことに留意されたい。
【００２５】
[0043]ワイヤレスデバイスが、チャネル状態に応じて、および／または各キャリア成分への負荷に応じてセルのうちのいずれか１つからデータを受信し得るように、上記で説明したマクロセルとスモールセルとはアグリゲートされ得る（たとえば、キャリアアグリゲーション）。ロングタームエボリューション（ＬＴＥ）は、現在、マクロセルに対応するＰＣｅｌｌとのキャリアアグリゲーションと、スモールセルに対応する１つまたは複数のＳＣｅｌｌとのキャリアアグリゲーションとをサポートする。ただし、キャリアアグリゲーションは、セルがコロケートされたときにサポートされる（すなわち、セルは同じ基地局またはｅＮＢに関連付けられる）。アグリゲートされたセルがコロケートされない事例、およびデータの複数のフローが生じる事例（たとえば、マルチフローまたはデュアル接続性）は、現在、ＬＴＥではサポートされていない。そのような事例をサポートするために、ワイヤレスデバイスの接続を協調させることと、ワイヤレスデバイスへのデータ配信を追跡することとを行うために使用されるバックホールシグナリングの量を低減する必要があることに関与する新しい方式が必要とされ得る。
【００２６】
[0044]現在のキャリアアグリゲーション動作（すなわち、コロケートされたセル）では、ＰＣｅｌｌが位置する基地局またはｅＮＢは、一般に、ワイヤレスデバイス（たとえば、ＵＥ）が使用しているリソースを制御し、ＳＣｅｌｌを構成／構成解除する役目を果たし得る。どのＳＣｅｌｌをワイヤレスデバイスが使用し得るかに関する適切な決定を行うために、基地局は、スモールセル周波数レイヤの測定を実施し、ある条件を満たした（たとえば、スモールセルの信号強度があるしきい値を上回る）ときに基地局に報告を返送するようにワイヤレスデバイスを構成し得る。ただし、ワイヤレスデバイスが、測定を実施し、報告に送る必要があり、基地局が、決定を行い、適宜にワイヤレスデバイスを構成する必要があり、ワイヤレスデバイスがアップリンク（ＵＬ）上で報告を送り、コマンド／構成情報を含んでいるダウンリンク（ＤＬ）メッセージを受信するなど、追加のシグナリングを伴うので、このプロセスは遅延を生じ得る。非コロケート事例においてこれらのタイプの遅延を低減するために、様々な実施形態を以下に与え、ここで、ワイヤレスデバイス（たとえば、ＵＥ）は、スモールセルとの接続を迅速に効果的に（たとえば、シグナリングを低減して）確立するために、マクロセル（たとえば、ＰＣｅｌｌ）から受信された選択パラメータに少なくとも部分的に基づいてスモールセル（たとえば、ＳＣｅｌｌ）を識別および選択し得る。
【００２７】
[0045]本明細書で説明する技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサルテレストリアルラジオアクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイルシステムフォーモバイルコミュニケーション（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外に適用可能である。
【００２８】
[0046]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実施され得、様々なステップが追加、省略、または組み合わせられ得る。また、いくつかの実施形態に関して説明する特徴は、他の実施形態において組み合わせられ得る。
【００２９】
[0047]図１を参照すると、図が、ワイヤレス通信システム１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介して制御情報および／またはユーザデータをコアネットワーク１３０と通信し得る。実施形態では、基地局１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３０】
[0048]基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の好適な用語で呼ばれることがある。基地局のためのカバレージエリア１１０は、カバレージエリアの一部分のみを構成するセクタ（図示せず）に分割され得る。システム１００は、異なるタイプの基地局１０５（たとえば、マクロ基地局、マイクロ基地局、および／またはピコ基地局）を含み得る。異なる技術のための重複するカバレージエリアがあり得る。
【００３１】
[0049]実施形態では、システム１００はＬＴＥ／ＬＴＥ−Ａネットワークである。ＬＴＥ／ＬＴＥ−Ａネットワークでは、発展型ノードＢ（ｅＮＢ）およびユーザ機器（ＵＥ）という用語は、概して、それぞれ基地局１０５およびデバイス１１５について説明するために使用され得る。システム１００は、異なるタイプのｅＮＢがその中で様々な地理的領域にカバレージを与える、異種（Heterogeneous）ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。ピコセル、フェムトセル、および／または他のタイプのセルなどのスモールセルは、低電力ノードすなわちＬＰＮを含み得る。マクロセルは、概して、比較的大きい地理的エリア（たとえば、半径数キロメートル）をカバーし、ネットワークプロバイダのサービスに加入しているＵＥによる無制限アクセスを可能にし得る。場合によっては、たとえば、マクロセルはプライマリセルまたはＰＣｅｌｌと呼ばれることがあり、一方、スモールセルはセカンダリセルまたはＳＣｅｌｌと呼ばれることがある。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスを可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００３２】
[0050]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を介して）、直接的または間接的に、互いに通信し得る。ワイヤレスネットワーク１００は同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作または非同期動作のいずれかのために使用され得る。
【００３３】
[0051]ＵＥ１１５はワイヤレスネットワーク１００全体にわたって分散され、各ＵＥは固定またはモバイルであり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００３４】
[0052]ネットワーク１００中に示された送信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、アップリンク送信は逆方向リンク送信と呼ばれることもある。
【００３５】
[0053]システム１００のいくつかの実施形態では、ＵＥ１１５−ａは、マクロセル（たとえば、ＰＣｅｌｌ）のカバレージの下と、スモールセル１０５−ａ（たとえば、ＳＣｅｌｌ）のカバレージの下とにあり得る。適切なトリガ条件を満たすとき、ＰＣｅｌｌは、あるタイプのデータまたはトラフィックを通信すべきＳＣｅｌｌ１０５−ａの選択を続けるようにＵＥ１１５−ａにコマンドを送信し得る。ＰＣｅｌｌはまた、選択を行うための基準を確立するためにＵＥ１１５−ａに選択パラメータを与え得る。ＵＥ１１５−ａは、ＳＣｅｌｌ１０５−ａを識別および選択し、ＰＣｅｌｌから受信された選択パラメータに少なくとも部分的に基づいてＳＣｅｌｌ１０５−ａとの独立した接続を直接確立し得る。ＰＣｅｌｌは、ＳＣｅｌｌ１０５−ａの選択に関与しないか、またはＵＥ１１５−ａとＳＣｅｌｌ１０５−ａとの間の接続を確立することに関与せず、したがって、ＳＣｅｌｌ１０５−ａとの接続は、ＰＣｅｌｌとの接続とは無関係に確立され得る。選択パラメータは、電力および／または品質パラメータ、選択を行うべき候補セルのアズウェルズアズリストまたはセットを含み得る。ＰＣｅｌｌとＳＣｅｌｌ１０５−ａとは、バックホールリンク１３４（たとえば、Ｘ２インターフェース）を介して互いに通信していることがあるが、同じ基地局またはｅＮＢに関連付けられる必要はない（すなわち、セルはコロケートされない）。ＳＣｅｌｌ１０５−ａとの接続が確立されると、ＵＥ１１５−ａは両方のセルと同時に通信することが可能になる。
【００３６】
[0054]図２Ａに、非コロケートセルを用いるシステム２００の一例を示す図を示す。システム２００は、図１のシステム１００の一部であり得、および／またはその部分に接続され得る。システム２００は、セルカバレージ２１０を有するマクロセルに関連する基地局１０５−ｂを含む。マクロセルは、プライマリセルまたはＰＣｅｌｌに対応し得、それの対応するセルカバレージ２１０のためにマクロセル２１０と呼ばれることがある。システム２００はまた、セルカバレージ２２０を有するスモールセルに関連する基地局１０５−ｃを含む。スモールセルは、セカンダリセルまたはＳＣｅｌｌに対応し得、それの対応するセルカバレージ２２０のためにスモールセル２２０と呼ばれることがある。基地局１０５−ｂおよび１０５−ｃは、図１の基地局１０５の例であり得る。
【００３７】
[0055]システム２００はまた、図１のＵＥ１１５の一例であり得るＵＥ１１５−ｂを含む。ＵＥ１１５−ｂは、１つまたは複数の送信リンク１２５−ａを使用して基地局１０５−ｂと通信し得る。ＵＥ１１５−ｂは、１つまたは複数の送信リンク１２５−ｂを使用して基地局１０５−ｃと通信し得る。いくつかの事例では、ＵＥ１１５−ｂは、両方の基地局（および両方のセル）と同時に通信し得る。
【００３８】
[0056]いくつかの実施形態では、マクロセル２１０とスモールセル２２０とは、非コロケートセルであり、すなわち、それらは、異なる基地局に関連付けられる。セルが非コロケートされるとき、ＵＥ１１５−ｂへの接続を協調させることと、ＵＥ１１５−ｂへのデータ配信を追跡することとを行うために、（たとえば、バックホールリンク１３４−ａを通した）かなりの量のバックホールシグナリングが使用され得る。ＵＥ１１５−ｂがマクロセル２１０とスモールセル２２０との両方と同時に通信することを可能にし得る、ＵＥ１１５−ｂとスモールセル２２０との間の接続を確立するために使用される時間とシグナリングとを低減するために、本明細書では、ＵＥ１１５−ｂが、通信すべき適切なスモールセルを自律的に識別および選択し、次いで、マクロセルの関与なしに、選択されたスモールセルとの独立した接続を直接確立することを許し得る技法について説明する。さらに、これらの技法は、ＵＥ１１５−ｂにデータを通信するために異なるセルからの複数のフロー（すなわち、マルチフロー）が使用されるときなどに、非コロケートセルのためのＬＴＥにおけるキャリアアグリゲーションを可能にし得る。
【００３９】
[0057]図２Ｂに、複数の異なる無線アクセス技術（ＲＡＴ）を用いるシステム２００−ａの一例を示す図を示す。システム２００−ａは、図１のシステム１００または図２Ａのシステム２００の一部であり得、および／またはその部分に接続され得る。システム２００−ａはまた、セルカバレージ２３０を有する第１のＲＡＴに関連する基地局１０５−ｄを含む。システム２００−ａはまた、セルカバレージ２４０を有する第２のＲＡＴに関連する基地局１０５−ｅを含む。システム２００−ａはまた、セルカバレージ２５０を有する第３のＲＡＴに関連する基地局１０５−ｆを含む。システム２００−ａはまた、セルカバレージ２６０を有する第４のＲＡＴに関連する基地局１０５−ｇを含む。基地局１０５−ｄ、１０５−ｅ、１０５−ｆ、および１０５−ｇは、図１の基地局１０５または図２Ａの基地局１０５−ｂまたは１０５−ｃの例であり得る。
【００４０】
[0058]システム２００−ａはまた、図１のＵＥ１１５または図２Ａの１１５−ｂまたは１１５−ｃの一例であり得るＵＥ１１５−ｃを含む。ＵＥ１１５−ｃは、１つまたは複数の送信リンク１２５−ｃを使用して基地局１０５−ｄと通信し得る。ＵＥ１１５−ｃは、１つまたは複数の送信リンク１２５−ｄを使用して基地局１０５−ｅと通信し得る。ＵＥ１１５−ｃは、１つまたは複数の送信リンク１２５−ｅを使用して基地局１０５−ｆと通信し得る。ＵＥ１１５−ｃは、１つまたは複数の送信リンク１２５−ｆを使用して基地局１０５−ｇと通信し得る。いくつかの事例では、ＵＥ１１５−ｃは、基地局のうちの２つ以上（および複数のセル）と同時に通信し得る。
【００４１】
[0059]いくつかの実施形態では、第１のＲＡＴ２３０のセルと、第２のＲＡＴ２４０のセルと、第３のＲＡＴ２５０のセルと、第４のＲＡＴ２６０のセルとは非コロケートセルであり、すなわち、それらは、異なる基地局に関連付けられる。基地局１０５は、バックホールリンク１３４−ｂ（たとえば、Ｘ２インターフェース）を介して互いに通信していることがあるが、同じ基地局またはｅＮＢに関連付けられる必要はない。上記で説明したように、セルが非コロケートされるとき、ＵＥ１１５−ｃへの接続を協調させることと、ＵＥ１１５−ｃへのデータ配信を追跡することとを行うために、（たとえば、バックホールリンク１３４−ｂを通した）かなりの量のバックホールシグナリングが使用され得る。図示されてはいないが、バックホールリンク１３４−ｂは、システム２００−ａの基地局１０５−ｄ、１０５−ｅ、１０５−ｆ、および１０５−ｇの各々の間に存在し得る。ＵＥ１１５−ｃが異なるＲＡＴのセルと同時に通信することを可能にし得る、ＵＥ１１５−ｃと複数のセルとの間の接続を確立するために使用される時間とシグナリングとを低減するために、本明細書では、ＵＥ１１５−ｃが、通信すべき適切なセルを自律的に識別および選択し、次いで、別のセルの関与なしに、選択されたセルとの独立した接続を直接確立することを許し得る技法について説明する。さらに、これらの技法は、ＵＥ１１５−ｃにデータを通信するために異なるセルからの複数のフロー（すなわち、マルチフロー）が使用されるときなどに、非コロケートセルのためのＬＴＥにおけるキャリアアグリゲーションを可能にし得る。例示のポイントとして、第１のＲＡＴと、第２のＲＡＴと、第３のＲＡＴと、第４のＲＡＴとは、ＬＴＥと、ＵＭＴＳと、ＧＳＭと、ＩＥＥＥ８０２．１１（「ＷｉＦｉ（登録商標）」）などのワイヤレスローカルエリアネットワーク（ＷＬＡＮ）技術と、またはそれらの任意の組合せを含み得る。
【００４２】
[0060]図３Ａ、図３Ｂ、および図３Ｃは、図２Ａまたは図２Ｂに示したものなど、非コロケートセル中でのキャリアアグリゲーションの異なる例を示す図３００、３１０、および３２０を示す。図３００に、連続帯域内キャリアアグリゲーションの一例を示し、ここで、１つのセル（たとえば、マクロセルまたはＰＣｅｌｌ）に関連するキャリア成分３０２と別のセル（たとえば、スモールセルまたはＳＣｅｌｌ）に関連するキャリア成分３０４とは、同じ帯域、帯域１中で隣り合っている。図３１０に、不連続帯域内キャリアアグリゲーションの一例を示し、ここで、キャリア成分３０２および３０４が、同じ帯域（帯域１）中にあるが、互いに分離している。図３２０に、不連続帯域間キャリアアグリゲーションの一例を示し、ここで、キャリア成分３０２および３０４が、別個の帯域（帯域１および帯域２）中にある。
【００４３】
[0061]図３Ａ、図３Ｂ、および図３Ｃの図に、データの複数のフローを可能にするために様々なセルが使用されるとき、非コロケートセルとともに使用され得る異なるタイプのキャリアアグリゲーションを示す。さらに、図３Ａ、図３Ｂ、および図３Ｃの図は、限定ではなく例として与えられる。すなわち、図３００、３１０、および３２０に示す方式とは異なる連続方式、不連続方式、帯域内方式、および／または帯域間方式を有するコンポーネントキャリア構成があり得、ここで、構成はまた、データの複数のフローをサポートする非コロケートセルに適用可能である。
【００４４】
[0062]上記で説明したように、第２のセルと第１のセル（たとえば、ＰＣｅｌｌ）がコロケートされないとき、マルチフロー動作においてＵＥ（たとえば、ＵＥ１１５）と第２のセル（たとえば、ＳＣｅｌｌ）との間の接続を確立するために使用される時間および／またはシグナリングを低減することが望ましいことがある。図４Ａ、図４Ｂ、および図４Ｃに、ＵＥと第２のセルとの間の独立した接続を直接確立するためのシグナリングの例を示す。たとえば、図４Ａに、ＵＥ１１５−ｄがＳＣｅｌｌ２２０−ａとの独立した接続を確立するとき、ＵＥ１１５−ｄと、ＰＣｅｌｌ２１０−ａと、ＳＣｅｌｌ２２０−ａとの間で行われ得るシグナリングの一例について説明するコールフロー図４００を示す。ＵＥ１１５−ｄは、図１、図２Ａ、および図２Ｂ中のＵＥ１１５の一例であり得、ＰＣｅｌｌ２１０−ａは、図２Ａ中のマクロセル２１０の一例であり得、ＳＣｅｌｌ２２０−ａは、図２Ａのスモールセル２２０の一例であり得る。
【００４５】
[0063]４１０において、何らかのイベントが、ＵＥ１１５−ｄとＳＣｅｌｌ２２０−ａとの間の接続の必要をトリガし得る。図示されていないが、ＰＣｅｌｌ２１０−ａは、自律選択およびＳＣｅｌｌへの独立した接続を開始するようにＵＥ１１５−ｄにコマンドを送信し得る。この点について、ＰＣｅｌｌ２１０−ａはまた、候補セルのセットからのＳＣｅｌｌの選択のための基準を確立するためにＵＥ１１５−ｄによって使用され得る選択パラメータを送信し得る。ＵＥ１１５−ｄは、次いで、この例では、ＳＣｅｌｌ２２０−ａである好適なＳＣｅｌｌ候補をそれが識別および選択することを可能にする様々な測定を行い得る。
【００４６】
[0064]４１５において、ＵＥ１１５−ｄは、ＳＣｅｌｌ２２０−ａに同期し得る。同期すると、４２０（１）において、ＵＥ１１５−ｄは、ＳＣｅｌｌ２２０−ａへの初期アクセスのためのランダムアクセスチャネル（ＲＡＣＨ）プロシージャの一部として、ＳＣｅｌｌ２２０−ａにランダムアクセスプリアンブルを送信し得る。４２５（２）において、ＳＣｅｌｌ２２０−ａは、ＵＥ１１５−ｄにランダムアクセス応答を送信することによって、ランダムアクセスプリアンブルに応答し得る。
【００４７】
[0065]４３０（３）において、ＵＥ１１５−ｄは、ＳＣｅｌｌ２２０−ａにＳＣｅｌｌ接続確立要求を送信し得る。４３５（４）において、ＳＣｅｌｌ２２０−ａは、承認制御を通してＵＥ１１５−ｄからの要求を処理し得る。４４０（５）において、ＳＣｅｌｌ２２０−ａは、承認制御プロセスに応答して、ＰＣｅｌｌ２１０−ａにオフロード要求を送信し得る。ＰＣｅｌｌ２１０−ａは、４４５（６）において、ＳＣｅｌｌ２２０−ａからのオフロード要求に関する決定を行い得る。４５０（７）において、ＰＣｅｌｌ２１０-ａは、オフロード決定が行われた後に、ＳＣｅｌｌ２２０−ａにオフロード要求肯定応答を送信し得る。
【００４８】
[0066]図４Ｂに、図４Ａの図４００に示したものからの追加のシグナリングを示す図４００−ａを示す。たとえば、図４Ａ中の４５０の後に、４５５において、ＵＥ１１５−ｄとＰＣｅｌｌ２１０−ａとの間で無線リソース制御（ＲＲＣ）交換があり得る。４６０（８）において、ＰＣｅｌｌ２１０−ａは、ＵＥ１１５−ｄにＲＲＣ接続再構成メッセージを送信し得、４６５（９）において、ＵＥ１１５−ｄは、もとのＰＣｅｌｌ２１０−ａにＲＲＣ接続再構成完了メッセージを送信し得る。
【００４９】
[0067]代替的に、図４Ａ中の４５０の後に、４５５−ａにおいて、ＵＥ１１５−ｄとＳＣｅｌｌ２２０−ａとの間でＲＲＣ交換があり得る。４６０−ａ（８）において、ＳＣｅｌｌ２２０−ａは、ＵＥ１１５−ｄにＲＲＣ接続再構成メッセージを送信し得、４６５−ａ（９）において、ＵＥ１１５−ｄは、ＳＣｅｌｌ２２０−ａにＲＲＣ接続再構成完了メッセージを送信して戻し得る。
【００５０】
[0068]図４Ｃに、ＵＥ１１５−ｅが第２のセルとの独立した接続を確立するとき、ＵＥ１１５−ｅと、第１のＲＡＴ２３０−ａと、第２のＲＡＴ２４０−ａと、第３のＲＡＴ２５０−ａと、第４のＲＡＴ２６０−ａとの間で行われ得るシグナリングの一例について説明するコールフロー図４００−ｂを示す。ＵＥ１１５−ｅは、図１、図２Ａ、図２Ｂ、図４Ａ、および図４Ｂ中のＵＥ１１５の一例であり得、第１のＲＡＴ２３０−ａ、第２のＲＡＴ２４０−ａ、第３のＲＡＴ２５０−ａ、または第４のＲＡＴ２６０−ａは、図２Ａ中のマクロセル２１０、図２Ａのスモールセル２２０、図２Ｂの第１のＲＡＴ２３０、図２Ｂの第２のＲＡＴ２４０、図２Ｂの第３のＲＡＴ２５０、図２Ｂの第４のＲＡＴ２６０、図４ＡのＰＣｅｌｌ２１０−ａ、または図４ＡのＳＣｅｌｌ２２０−ａの一例であり得る。
【００５１】
[0069]４１０−ａにおいて、何らかのイベントが、ＵＥ１１５−ｅと第２のセルとの間の接続の必要をトリガし得る。図示のように、ＵＥ１１５−ｅは、第１のＲＡＴ２３０−ａとの間で確立された接続をすでに有していることがある。図示されていないが、第１のＲＡＴ２３０−ａは、自律選択および第２のセルへの独立した接続を開始するようにＵＥ１１５−ｅにコマンドを送信し得る。第１のＲＡＴ２３０−ａはまた、候補セルのセットからの第２のセルの選択のための基準を確立するためにＵＥ１１５−ｅによって使用され得る選択パラメータを送信し得る。候補セルのセットは、異なるＲＡＴのセルを含み得る。たとえば、候補セルのセットは、第２のＲＡＴ２４０−ａと、第３のＲＡＴ２５０−ａと、第４のＲＡＴ２６０−ａとを含み得る。
【００５２】
[0070]４７０において、ＵＥ１１５−ｅは、好適な第２のセル候補をそれが識別および選択することを可能にする様々な測定を行い得る。たとえば、第１のＲＡＴ２３０−ａとの接続がすでに確立されているので、冗長性を回避するために、第１のＲＡＴ２３０−ａは測定に含まれないことがある。または、場合によっては、第１のＲＡＴ２３０−ａは、候補セルのセット中に含まれていなかったので、測定に含まれない。
【００５３】
[0071]４７５において、ＵＥ１１５−ｅは、どのセルと第２の独立した接続を確立することを望むかを決定し得る。たとえば、第３のＲＡＴが、使用されるべき望ましい第２のセルとして決定され得る。この決定は、いくつかの異なるファクタに基づき得る。場合によっては、決定は、どの他のセルがしきい値を超えているかに基づいて行われる。しきい値は、第１のセルからの選択パラメータ中に含まれ得る。決定は、ＲＡＴの所定の階層に基づいて行われ得る。たとえば、ＬＴＥは、ＷＬＡＮよりも優先され得、ＷＬＡＮは、ＵＭＴＳよりも優先され得、ＵＭＴＳは、ＧＳＭよりも優先され得、または他のそのような優先順位付けであり得る。場合によっては、所望の第２のセルを決定するために、測定とともに、ネットワークの優先順位付けレベルに関するファクタの組合せなどのアルゴリズムが使用され得る。この場合、あまり好適でないＲＡＴがより好適なＲＡＴよりもかなり強い信号を有する場合、信号強度があまり好適でないＲＡＴを上回るので、アルゴリズムは、あまり好適でないＲＡＴを選定すべきであると決定し得る。場合によっては、利用可能なリソースが最も多いセルが選択され得る。いくつかの例では、最大スループットが最も高いセルが選択され得る。場合によっては、基地局に最も近いセルが選択され得る。どのセルが第２のセルとして選択されるべきであるかを決定する説明した方法のいずれも、別の方法と組み合わせて使用され得る。さらに、どのセル（および／またはＲＡＴ）が第２のセルとして使用するために選択され得るかを決定する多くの方法があることを当業者は理解されよう。
【００５４】
[0072]４８５において、ＵＥ１１５−ｅは、第２のセル２５０−ａに初期アクセスメッセージを送信し得る。第２のセル２５０−ａは、次いで、ＵＥ１１５−ｅに応答メッセージ４９０を送信し得る。応答メッセージ４９０は、ＵＥ１１５−ｅからの初期アクセスメッセージに応答し得る。
【００５５】
[0073]初期アクセスメッセージ４８５と応答メッセージ４９０とは、選択された第２のセル２５０−ａとの独立した接続を確立するために使用された、交換されたメッセージを表すために使用されることに留意されたい。ＵＥ１１５−ｅから第２のセル２５０−ａに交換され複数のメッセージ、および／または第２のセル２５０−ａからＵＥ１１５−ｅに交換された複数のメッセージがあり得る。メッセージはまた、任意の順序で発生し得る。たとえば、初期アクセスメッセージは、第２のセル２５０−ａへの初期アクセスのためのランダムアクセスチャネル（ＲＡＣＨ）プロシージャの一部としてランダムアクセスプリアンブルを含み得る。応答メッセージ４９０は、ＵＥ１１５−ｅへのランダムアクセス応答を含み得る。場合によっては、初期アクセスメッセージは、無線リソース制御（ＲＲＣ）接続要求を含み得る。応答メッセージ４９０は、ＲＲＣ接続要求に応答するＲＲＣ接続セットアップメッセージインを含み得る。初期アクセスメッセージは、さらに、ＲＲＣ接続セットアップメッセージに応答するＲＲＣ接続セットアップ完了メッセージを含み得る。場合によっては、初期アクセスメッセージ４８５は、プローブ要求メッセージ、関連付け要求メッセージ、および／または認証要求メッセージを含み得る。さらに、応答メッセージ４９０は、プローブ応答メッセージ、関連付け応答メッセージ、および／または認証応答メッセージを含み得る。場合によっては、初期アクセスメッセージ４８５は、無線リソース（ＲＲ）チャネル要求メッセージを含み得る。応答メッセージ４９０は、ＲＲチャネル要求メッセージに応答するＲＲ即時割当てメッセージを含み得る。
【００５６】
[0074]応答メッセージ４９０の後に、独立した接続が、ＵＥ１１５−ｅと第２のセル２５０−ａとの間に確立され得る。したがって、ＵＥ１１５−ｅは、第１のセル２３０−ａおよび第２のセル２５０−ａと同時に通信し得る。
【００５７】
[0075]図４Ａ、図４Ｂ、および図４Ｃの例に示したシグナリングは、説明のために与えたものであり、本開示を限定するものではない。たとえば、第２のセルと第１のセル（たとえば、ＰＣｅｌｌ）とがコロケートされないとき、マルチフロー動作においてＵＥと第２のセル（たとえば、ＳＣｅｌｌ）との間の接続を確立するために使用される時間および／またはシグナリングを低減し得る、図４Ａ、図４Ｂ、および図４Ｃに示したシグナリングのいくつかの変形形態も使用され得る。
【００５８】
[0076]図５を参照すると、ブロック図に、様々な実施形態による、ＳＣｅｌｌ接続を確立および解放するように構成されたデバイス５００を示す。デバイス５００は、図１、図２Ａ、図２Ｂ、図４Ａ、図４Ｂ、図４Ｃ、図７、および図９を参照しながら説明するＵＥ１１５の１つまたは複数の態様の一例であり得る。デバイス５００は、図１、図２Ａ、図２Ｂ、図８、および図９を参照しながら説明する基地局１０５の１つまたは複数の態様の一例であり得る。さらに、デバイス５００は、ＰＣｅｌｌ２１０、図２Ａ、図４Ａ、および図４ＢのＳＣｅｌｌ２２０、ならびに／あるいは図２Ｂおよび図４Ｃのセル２３０、２４０、２５０、または２６０の１つまたは複数の態様の一例であり得る。デバイス５００はまた、プロセッサであり得る。デバイス５００は、受信機モジュール５０５、接続モジュール５１０、および／または送信機モジュール５１５を含み得る。接続モジュール５１０は、接続確立モジュール５１１と接続解放モジュール５１２とを含み得る。これらの構成要素の各々は互いに通信していることがある。
【００５９】
[0077]デバイス５００は、受信機モジュール５０５、接続モジュール５１０中の接続確立モジュール５１１、および／または送信機モジュール５１５を通して、ＵＥとのＳＣｅｌｌ接続を確立するためにＵＥ（たとえば、ＵＥ１１５）中で使用するように構成され得る。そのような場合、デバイス５００は、ＰＣｅｌｌ（たとえば、ＰＣｅｌｌ２１０）から選択パラメータを受信することと、ＰＣｅｌｌから受信された選択パラメータに少なくとも部分的に基づいてＳＣｅｌｌを識別および選択することとを行うように構成され得る。ＰＣｅｌｌは第１の基地局に関連付けられ得、ＳＣｅｌｌは第２の基地局に関連付けられ得る（たとえば、セルは非コロケートされ得る）。さらに、ＰＣｅｌｌとＳＣｅｌｌとは互いに通信していることがあり、このことが、ＵＥへのデータの複数のフローを容易にし得る。デバイス５００は、ＳＣｅｌｌとの独立した接続を確立することと、ＰＣｅｌｌおよびＳＣｅｌｌと同時に通信することとを行うように構成され得る。ＰＣｅｌｌは、たとえば、図２のマクロセル２１０に対応し得、一方、ＳＣｅｌｌは、たとえば、やはり図２のスモールセル２２０に対応し得る。
【００６０】
[0078]ＵＥ中で使用するためのいくつかの実施形態では、デバイス５００は、ＰＣｅｌｌからの選択パラメータの一部として、ＳＣｅｌｌを選択すべき候補セルのセットを受信するように構成される。セット中の各候補セルは、セル識別子（たとえば、物理セルＩＤまたはＰＣＩ）、グローバルセル識別子（たとえば、グローバルセルＩＤまたはＧＣＩ）、追跡エリアコード（ＴＡＣ：tracking area code）、およびキャリア周波数（たとえば、Ｅ−ＵＴＲＡ絶対無線周波数チャネル数またはＥＡＲＦＣＮ）のうちの１つまたは複数によって識別され得る。いくつかの実施形態では、ＰＣｅｌｌから受信された選択パラメータは、基準信号受信電力（ＲＳＲＰ：reference signal receive power）および基準信号受信品質（ＲＳＲＱ：reference signal receive quality）のうちの１つまたは複数を含む。いくつかの実施形態では、デバイス５００は、セット中の各候補セルに関連するパラメータを測定することと、第２のセルに関連する測定パラメータに少なくとも部分的に基づいてセットからＳＣｅｌｌを選択することとを行うように構成される。
【００６１】
[0079]ＵＥ中で使用するためのいくつかの実施形態では、デバイス５００は、第１のコンポーネントキャリアを使用してＰＣｅｌｌと通信することと、第２のコンポーネントキャリアを使用してＳＣｅｌｌと通信することとを行うことによってＰＣｅｌｌおよびＳＣｅｌｌと同時に通信するように構成される。いくつかの実施形態では、デバイス５００は、ＳＣｅｌｌに、ランダムアクセスプリアンブルなどの初期アクセスメッセージを送信することと、初期アクセスメッセージに応答して、ＳＣｅｌｌから、ランダムアクセス応答などの応答メッセージを受信することとを行うことによって、ＳＣｅｌｌとの接続を直接確立する（たとえば、独立した接続を確立する）ように構成される（たとえば、図４Ａ参照）。
【００６２】
[0080]ＵＥ中で使用するためのいくつかの実施形態では、デバイス５００は、ＰＣｅｌｌから、ＵＥがＳＣｅｌｌとの独立した接続を直接確立する（たとえば、独立した接続を確立する）ことが許されるというインジケーションを受信するように構成される。インジケーションは、たとえば、物理ダウンリンク制御チャネル（ＰＤＣＣＨ）を通して受信され得る。
【００６３】
[0081]ＵＥ中で使用するためのいくつかの実施形態では、デバイス５００は、バッファ中のアップリンクデータの量がしきい値を上回るかどうかを決定することと、バッファ中のアップリンクデータの量がしきい値を上回るとき、ＳＣｅｌｌとの独立した接続を確立することとを行うように構成される。いくつかの実施形態では、デバイス５００は、利用可能なアップリンクデータがあるかどうかを検出することと、利用可能なアップリンクデータが検出されるとき、ＳＣｅｌｌとの独立した接続を確立することとを行うように構成される。たとえば、デバイス５００は、アップリンクデータの到着時にＳＣｅｌｌに自律的に接続するように構成され得る。利用可能なアップリンクデータは、サービス品質とベアラ識別子とのうちの選択された１つまたは複数に関連付けられ得る。いくつかの実施形態では、独立した接続は、検出されたアップリンクデータに関連するアプリケーションのタイプに少なくとも部分的に基づいてＳＣｅｌｌとの間で確立される。
【００６４】
[0082]ＵＥ中で使用するためのいくつかの実施形態では、デバイス５００は、利用可能なダウンリンクデータがあるかどうかを検出することと、利用可能なダウンリンクデータが検出されるとき、ＳＣｅｌｌとの独立した接続を確立することとを行うように構成される。たとえば、デバイス５００は、ダウンリンクデータの到着時にＳＣｅｌｌに自律的に接続するように構成され得る。ダウンリンクデータは、サービス品質とベアラ識別子とのうちの選択された１つまたは複数に関連付けられ得る。いくつかの実施形態では、独立した接続は、検出されたダウンリンクデータに関連するアプリケーションのタイプに少なくとも部分的に基づいてＳＣｅｌｌとの間で確立される。
【００６５】
[0083]ＵＥ中で使用するためのいくつかの実施形態では、デバイス５００は、ＰＣｅｌｌからセル負荷インジケーションを受信することと、ＰＣｅｌｌから受信されたセル負荷インジケーションに少なくとも部分的に基づいてＳＣｅｌｌとの独立した接続を確立することとを行うように構成される。いくつかの実施形態では、デバイス５００は、ＳＣｅｌｌからセル負荷インジケーションを受信することと、ＳＣｅｌｌから受信されたセル負荷インジケーションに少なくとも部分的に基づいてＳＣｅｌｌを選択することとを行うように構成される。
【００６６】
[0084]ＵＥ中で使用するためのいくつかの実施形態では、デバイス５００は、ＰＣｅｌｌに関連する第１のスケジューラに従ってＰＣｅｌｌと通信しながら、ＳＣｅｌｌに関連する第２のスケジューラに従ってＳＣｅｌｌと同時に通信することによって、ＰＣｅｌｌおよびＳＣｅｌｌと同時に通信するように構成される。
【００６７】
[0085]デバイス５００は、受信機モジュール５０５、接続モジュール５１０中の接続確立モジュール５１１、および／または送信機モジュール５１５を通して、ＵＥとのＳＣｅｌｌ接続を確立することに関する態様を処理するためにＰＣｅｌｌ（たとえば、ＰＣｅｌｌ２１０）中で使用するように構成され得る。そのような場合、デバイス５００は、独立した接続を確立すべきＳＣｅｌｌを選択する際に使用すべきＵＥのための基準を確立するためにＵＥに選択パラメータを送信するように構成され得る。ＰＣｅｌｌは第１の基地局に関連付けられ得、ＳＣｅｌｌは第２の基地局に関連付けられ得る（すなわち、セルは非コロケートされる）。さらに、ＰＣｅｌｌとＳＣｅｌｌとは互いに通信していることがあり、このことが、ＵＥへのデータの複数のフローを容易にし得る。いくつかの実施形態では、デバイス５００は、ＵＥとＳＣｅｌｌとの間の接続が確立され、ＵＥがＳＣｅｌｌと通信しているとき、ＵＥと通信するように構成される。ＰＣｅｌｌは、たとえば、図２Ａのマクロセル２１０に対応し得、一方、ＳＣｅｌｌは、たとえば、やはり図２Ａのスモールセル２２０に対応し得る。
【００６８】
[0086]ＰＣｅｌｌ中で使用するためのいくつかの実施形態では、デバイス５００は、ＳＣｅｌｌから、ＵＥとＳＣｅｌｌとの間の接続が確立されたというインジケーションを受信するように構成される。インジケーションは、バックホールリンクインターフェース（たとえば、Ｘ２）を通して受信され得る。いくつかの実施形態では、デバイス５００は、ＵＥとＳＣｅｌｌとの間の接続が確立されるとき、ＵＥにＲＲＣ接続再構成メッセージを送信することと、ＲＲＣ接続再構成メッセージに応答してＵＥからＲＲＣ接続再構成完了メッセージを受信することとを行うように構成される（たとえば、図４Ｂ参照）。
【００６９】
[0087]ＰＣｅｌｌ中で使用するためのいくつかの実施形態では、デバイス５００は、接続（たとえば、独立した接続）を直接確立すべきＳＣｅｌｌを選択するようにＵＥにコマンドを送信するように構成される。コマンドは、たとえば、ＰＤＣＣＨを通して送信され得る。いくつかの実施形態では、デバイス５００は、利用可能なアップリンクデータがあるかどうかを検出するように構成され、ＵＥへのコマンドの送信は、利用可能なアップリンクデータが検出されるかどうかに少なくとも部分的に基づいてトリガされる。利用可能なアップリンクデータは、サービス品質とベアラ識別子とのうちの選択された１つまたは複数に関連付けられ得る。いくつかの実施形態では、デバイス５００は、利用可能なアップリンクデータがあるかどうかを検出するように構成され、ＵＥへのコマンドの送信は、検出された利用可能なアップリンクデータに関連するアプリケーションのタイプに少なくとも部分的に基づいてトリガされる。
【００７０】
[0088]ＰＣｅｌｌ中で使用するためのいくつかの実施形態では、デバイス５００は、利用可能なダウンリンクデータがあるかどうかを検出するように構成され、ＵＥへのコマンドの送信は、利用可能なダウンリンクデータが検出されるかどうかに少なくとも部分的に基づいてトリガされる。利用可能なダウンリンクデータは、サービス品質とベアラ識別子とのうちの選択された１つまたは複数に関連付けられ得る。いくつかの実施形態では、デバイス５００は、利用可能なダウンリンクデータがあるかどうかを検出するように構成され、ＵＥへのコマンドの送信は、検出された利用可能なダウンリンクデータに関連するアプリケーションのタイプに少なくとも部分的に基づいてトリガされる。
【００７１】
[0089]デバイス５００は、受信機モジュール５０５、接続モジュール５１０中の接続確立モジュール５１１、および／または送信機モジュール５１５を通して、ＳＣｅｌｌとＵＥとの間の接続を確立することに関する態様を処理するためにＳＣｅｌｌ（たとえば、ＳＣｅｌｌ２２０）中で使用するように構成され得る。そのような場合、デバイス５００は、ＰＣｅｌｌからＵＥによって受信された選択パラメータに少なくとも部分的に基づいてＵＥから接続したいという要求を受信するように構成され得る。いくつかの実施形態では、デバイス５００は、ＵＥとの接続を確立するように構成される。いくつかの実施形態では、デバイス５００は、ＵＥがＰＣｅｌｌと同時に通信している間にＵＥと通信するように構成される。ＰＣｅｌｌは第１の基地局に関連付けられ得、ＳＣｅｌｌは第２の基地局に関連付けられ得る（すなわち、セルは非コロケートされる）。さらに、ＰＣｅｌｌとＳＣｅｌｌとは互いに通信していることがあり、このことが、ＵＥへのデータの複数のフローを容易にし得る。ＰＣｅｌｌは、たとえば、図２Ａのマクロセル２１０に対応し得、一方、ＳＣｅｌｌは、たとえば、やはり図２Ａのスモールセル２２０に対応し得る。
【００７２】
[0090]ＳＣｅｌｌ中で使用するためのいくつかの実施形態では、デバイス５００は、ＰＣｅｌｌに、ＵＥとの接続が確立されたというインジケーションを送信するように構成される。インジケーションは、バックホールリンクインターフェース（たとえば、Ｘ２）を通して送信され得る。
【００７３】
[0091]ＳＣｅｌｌ中で使用するためのいくつかの実施形態では、デバイス５００は、ＵＥとＳＣｅｌｌとの間の接続が確立されるとき、ＵＥにＲＲＣ接続再構成メッセージを送信することと、ＲＲＣ接続再構成メッセージに応答してＵＥからＲＲＣ接続再構成完了メッセージを受信することとを行うように構成される。
【００７４】
[0092]ＳＣｅｌｌとＵＥとの間の接続が確立されると、デバイス５００は、ＳＣｅｌｌ接続を解放することに関する態様を処理するように構成され得る。たとえば、デバイス５００は、ＵＥとのＳＣｅｌｌ接続が解放されるべきであると決定するためにＵＥ中で使用するように構成され得る。解放は、低リンク品質または他の性能メトリックに起因し得る。デバイス５００は、次いで、ＳＣｅｌｌ接続が解放されるべきであるというインジケーションをＰＣｅｌｌに送信するように構成され得る。
【００７５】
[0093]次に図６Ａを参照すると、図６００は、ＳＣｅｌｌ接続において使用するためのＵＥ接続モジュール６１０を含む。ＵＥ接続モジュール６１０は、ＳＣｅｌｌ接続を確立および／または解放するためにＵＥ中で使用するように構成されるとき、図５のデバイス５００の態様を含み得る。そのような場合、ＵＥモジュール６１０は、図５の接続モジュール５１０の一例であり得る。ＵＥ接続モジュール６１０は、それぞれ図５の接続確立モジュール５１１と接続解放モジュール５１２との例であり得る接続確立モジュール６２０と接続解放モジュール６２５とを含み得る。
【００７６】
[0094]接続確立モジュール６２０は、選択パラメータ処理モジュール６２１と、セル識別および選択モジュール６２２と、直接ＳＣｅｌｌ接続確立モジュール６２３と、同時ＰＣｅｌｌおよびＳＣｅｌｌ通信モジュール６２４とを含み得る。選択パラメータ処理モジュール６２１は、ＰＣｅｌｌから受信された選択パラメータを使用または処理することに関する、本明細書で説明する様々な機能を実施するように構成され得る。セル識別および選択モジュール６２２は、独立した接続を直接確立すべき好適なＳＣｅｌｌを識別および選択することに関する、本明細書で説明する様々な機能を実施するように構成され得る。直接ＳＣｅｌｌ接続確立モジュール６２３は、選択されたＳＣｅｌｌとの独立した接続を直接確立することに関する、本明細書で説明する様々な機能を実施するように構成され得る。同時ＰＣｅｌｌおよびＳＣｅｌｌ通信モジュール６２４は、ＵＥにＰＣｅｌｌおよびＳＣｅｌｌと同時に通信させることに関する、本明細書で説明する様々な機能を実施するように構成され得る。
【００７７】
[0095]接続解放モジュール６２５は、ＳＣｅｌｌ接続が１つまたは複数の性能メトリックを満たさないという決定に応答してＳＣｅｌｌ接続を解放することに関する様々な機能を実施するように構成され得る。
【００７８】
[0096]図６Ｂに、ＳＣｅｌｌ接続において使用するためのＰＣｅｌｌ接続モジュール６４０を含む図６３０を示す。ＰＣｅｌｌ接続モジュール６４０は、ＳＣｅｌｌ接続を確立および／または解放するためにＰＣｅｌｌ中で使用するように構成されるとき、図５のデバイス５００の態様を含み得る。そのような場合、ＰＣｅｌｌモジュール６４０は、図５の接続モジュール５１０の一例であり得る。ＰＣｅｌｌ接続モジュール６４０は、それぞれ図５の接続確立モジュール５１１と接続解放モジュール５１２との例であり得る接続確立モジュール６５０と接続解放モジュール６５５とを含み得る。
【００７９】
[0097]接続確立モジュール６５０は、選択パラメータ送信モジュール６５１と、接続インジケーション受信モジュール６５２と、接続再構成モジュール６５３とを含み得る。選択パラメータ送信モジュール６５１は、独立した接続を直接確立すべきＳＣｅｌｌを選択するための基準を確立するために選択パラメータを決定し、それをＵＥに送信することに関する、本明細書で説明する様々な機能を実施するように構成され得る。接続インジケーション受信モジュール６５２は、ＳＣｅｌｌとＵＥとの間の接続が確立されているというインジケーションをＳＣｅｌｌから受信することに関する、本明細書で説明する様々な機能を実施するように構成され得る。接続再構成モジュール６５３は、ＵＥとＲＲＣ構成メッセージを交換することに関する、本明細書で説明する様々な機能を実施するように構成され得る。
【００８０】
[0098]接続解放モジュール６５５は、ＳＣｅｌｌ接続が１つまたは複数の性能メトリックを満たさないという決定に応答してＳＣｅｌｌ接続を解放することに関する様々な機能を実施するように構成され得る。
【００８１】
[0099]図６Ｃに、ＳＣｅｌｌ接続において使用するためのＳＣｅｌｌ接続モジュール６７０を含む図６６０を示す。ＳＣｅｌｌ接続モジュール６７０は、ＳＣｅｌｌ接続を確立および／または解放するためにＳＣｅｌｌ中で使用するように構成されるとき、図５のデバイス５００の態様を含み得る。そのような場合、ＳＣｅｌｌモジュール６７０は、図５の接続モジュール５１０の一例であり得る。ＳＣｅｌｌ接続モジュール６７０は、それぞれ図５の接続確立モジュール５１１と接続解放モジュール５１２との例であり得る接続確立モジュール６８０と接続解放モジュール６８５とを含み得る。
【００８２】
[0100]接続確立モジュール６８０は、接続要求および確立モジュール６８１と、接続インジケーション送信モジュール６８２と、接続再構成モジュール６８３とを含み得る。接続要求および確立モジュール６８１は、独立した接続を確立したいという要求をＵＥから受信することに関する、本明細書で説明する様々な機能を実施するように構成され得る。接続インジケーション送信モジュール６８２は、ＳＣｅｌｌとＵＥとの間の接続が確立されているというインジケーションをＰＣｅｌｌに送信することに関する、本明細書で説明する様々な機能を実施するように構成され得る。接続再構成モジュール６８３は、ＵＥとＲＲＣ構成メッセージを交換することに関する、本明細書で説明する様々な機能を実施するように構成され得る。
【００８３】
[0101]接続解放モジュール６８５は、ＳＣｅｌｌ接続が１つまたは複数の性能メトリックを満たさないという決定に応答してＳＣｅｌｌ接続を解放することに関する様々な機能を実施するように構成され得る。
【００８４】
[0102]図７を参照すると、１つまたは複数のＳＣｅｌｌ接続（たとえば、独立した接続）を直接確立するように構成されたユーザ機器１１５−ｆを示す図７００が示されている。ユーザ機器１１５−ｆは、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーに含まれるか、またはその一部であり得る。ユーザ機器１１５−ｆは、モバイル動作を可能にするために、小型バッテリーなどの内部電源（図示せず）を有し得る。ユーザ機器１１５−ｆは、図１、図２Ａ、図２Ｂ、図４Ａ、図４Ｂ、図４Ｃ、および図９のユーザ機器１１５の一例であり得る。
【００８５】
[0103]ユーザ機器１１５−ｆは、アンテナ７６０と、トランシーバモジュール７５０と、メモリ７２０と、プロセッサモジュール７１０と、ＳＣｅｌｌ接続のためのＵＥ接続モジュール６１０−ａとを含み得、その各々は、（たとえば、１つまたは複数のバスを介して）互いに直接または間接的に通信していることがある。ＵＥ接続モジュール６１０−ａは、図５のデバイス５００がＵＥ中で使用するように構成されるとき、デバイスによって与えられる機能の一部または全部を実施するように構成され得る。ＵＥ接続モジュール６１０−ａは、図６ＡのＵＥ接続モジュール６１０の一例であり得る。トランシーバモジュール７５０は、上記で説明したように、アンテナ７５０および／または１つもしくは複数のワイヤードもしくはワイヤレスリンクを介して、１つまたは複数のネットワークと双方向に通信するように構成され得る。たとえば、トランシーバモジュール７５０は、図１、図２Ａ、図２Ｂ、図８、および図９中の基地局１０５と双方向に通信するように構成され得る。さらに、トランシーバモジュール７５０は、２つ以上の非コロケートセルとの同時通信をサポートするように構成され得る。ユーザ機器１１５−ｆは、１つまたは複数の基地局１０５を通して他のデバイスと通信し得る。トランシーバモジュール７５０は、１つまたは複数の送信機モジュールおよび１つまたは複数の別個の受信機モジュールとして実装され得る。トランシーバモジュール７５０は、パケットを変調し、変調されたパケットを送信のためにアンテナ７６０に与え、アンテナ７６０から受信されたパケットを復調するように構成されたモデムを含み得る。ユーザ機器１１５−ｆは単一のアンテナを含み得るが、ユーザ機器１１５−ｆが複数のアンテナ７６０を含み得る実施形態があり得る。たとえば、ユーザ機器１１５−ｆは、複数の非コロケートセルと同時に通信するために２つ以上のアンテナを使用し得る。
【００８６】
[0104]メモリ７２０は、ランダムアクセスメモリ（ＲＡＭ）と読取り専用メモリ（ＲＯＭ）とを含み得る。メモリ７２０は、実行されたときプロセッサモジュール７１０に、ＳＣｅｌｌとの独立した接続を確立するための、本明細書で説明する様々な機能を実施させるように構成された命令を含んでいるコンピュータ可読、コンピュータ実行可能ソフトウェアコード７２５を記憶し得る。代替的に、ソフトウェアコード７２５は、プロセッサモジュール７１０によって直接的に実行可能でないことがあるが、（たとえば、コンパイルされ実行されると）コンピュータに本明細書で説明する機能を実施させるように構成され得る。
【００８７】
[0105]プロセッサモジュール７１０は、インテリジェントハードウェアデバイス、たとえば、中央処理ユニット（ＣＰＵ）、マイクロコントローラ、特定用途向け集積回路（ＡＳＩＣ）などを含み得る。プロセッサモジュール７１０は、トランシーバモジュール７５０を介して受信された情報、および／またはアンテナ７６０を介した送信のためにトランシーバモジュール７５０に送られるべき情報を処理し得る。プロセッサモジュール７１０は、単独でまたはＵＥ接続モジュール６１０−ａとともに、ＳＣｅｌｌとの独立した接続を確立するための様々な態様を処理し得る。
【００８８】
[0106]図７のアーキテクチャによれば、ユーザ機器１１５−ｆは通信管理モジュール７４０をさらに含み得る。通信管理モジュール７４０は、他のユーザ機器１１５および／または様々な基地局（たとえば、マクロセル、スモールセル）との通信を管理し得る。例として、通信管理モジュール７４０は、（図７に示す）バスを介してユーザ機器１１５−ｆの他の構成要素の一部または全部と通信しているユーザ機器１１５−ｆの構成要素であり得る。代替的に、通信管理モジュール７４０の機能は、トランシーバモジュール７５０の構成要素として、コンピュータプログラム製品として、および／またはプロセッサモジュール７１０の１つまたは複数のコントローラ要素として実装され得る。
【００８９】
[0107]ＵＥ接続モジュール６１０−ａは、図６Ａの接続確立モジュール６２０の一例であり得る接続確立モジュール６２０−ａを含み得る。ＵＥ接続モジュール６１０−ａはまた、図６Ａの接続解放モジュール６２５の一例であり得る接続解放モジュール６２５−ａを含み得る。
【００９０】
[0108]ユーザ機器１１５−ｆの構成要素は、図５および図６Ａに関して上記で説明した態様を実装するように構成され得、それらの態様は簡潔のためにここで繰り返されないことがある。さらに、ユーザ機器１１５−ｆの構成要素は、図１０、図１１、および図１２に関して以下で説明する態様を実装するように構成され得、それらの態様はやはり簡潔のためにここで繰り返されないことがある。
【００９１】
[0109]図８を参照すると、ＳＣｅｌｌとＵＥとの間の接続（たとえば、独立した接続）を直接確立するように構成された基地局１０５−ｈを示す図８００が示されている。いくつかの実施形態では、基地局１０５−ｈは、図１、図２Ａ、図２Ｂ、および図９の基地局１０５の一例であり得る。いくつかの実施形態では、基地局１０５−ｈは、ＰＣｅｌｌ２１０、図２Ａ、図４Ａ、および図４ＢのＳＣｅｌｌ２２０、ならびに／あるいは図２Ｂおよび図４Ｃのセル２３０、２４０、２５０、または２６０の一例であり得る。基地局１０５−ｈは、アンテナ８６０と、トランシーバモジュール８５０と、メモリ８２０と、プロセッサモジュール８１０と、ＳＣｅｌｌ接続のためのＰＣｅｌｌまたはＳＣｅｌｌ接続モジュール８９０とを含み得、その各々は、（たとえば、１つまたは複数のバスを介して）互いに直接または間接的に通信していることがある。トランシーバモジュール８５０は、たとえば、図１、図２Ａ、および図２Ｂに示す１つまたは複数のデバイスとアンテナ８６０を介して双方向に通信するように構成され得る。トランシーバモジュール８５０（および／または基地局１０５−ｈの他の構成要素）はまた、１つまたは複数のネットワークと双方向に通信するように構成され得る。場合によっては、基地局１０５−ｈは、ネットワーク通信モジュール８７０を通してコアネットワーク１３０−ａと通信し得る。コアネットワーク１３０−ａは、図１のコアネットワーク１３０の一例であり得る。
【００９２】
[0110]基地局１０５−ｈは、基地局１０５−ｉおよび基地局１０５−ｊなどの他の基地局と通信し得、他の基地局は、次に、１つまたは複数のＵＥと通信し得る。基地局は、様々なＲＡＴなどの様々なワイヤレス通信技術を使用してユーザ機器と通信し得る。場合によっては、基地局１０５−ｈは、基地局通信モジュール８８０を使用して他の基地局（たとえば、基地局１０５−ｉおよび１０５−ｊ）と通信し得る。いくつかの実施形態では、基地局通信モジュール８８０は、基地局のいくつかの間の通信を実現するために、ＬＴＥワイヤレス通信技術内のＸ２インターフェースを提供し得る。
【００９３】
[0111]メモリ８２０は、ランダムアクセスメモリ（ＲＡＭ）と読取り専用メモリ（ＲＯＭ）とを含み得る。メモリ８２０はまた、実行されたときプロセッサモジュール８１０に、たとえば、ＵＥとＳＣｅｌｌとの間の接続を確立するための、本明細書で説明する様々な機能を実施させるように構成された命令を含んでいるコンピュータ可読、コンピュータ実行可能ソフトウェアコード８２２を記憶し得る。代替的に、ソフトウェアコード８２２は、プロセッサモジュール８１０によって直接的に実行可能でないことがあるが、たとえば、コンパイルされ実行されると、コンピュータに本明細書で説明する機能を実施させるように構成され得る。
【００９４】
[0112]プロセッサモジュール８１０は、インテリジェントハードウェアデバイス、たとえば、中央処理ユニット（ＣＰＵ）、マイクロコントローラ、特定用途向け集積回路（ＡＳＩＣ）などを含み得る。プロセッサモジュール８１０は、トランシーバモジュール８５０、基地局通信モジュール８８０、および／またはネットワーク通信モジュール８７０を通して受信された情報を処理し得る。プロセッサモジュール８１０はまた、アンテナ８６０を通した送信のためのトランシーバモジュール８５０、基地局通信モジュール８８０、および／またはネットワーク通信モジュール８７０に送られるべき情報を処理し得る。プロセッサモジュール８１０は、単独でまたはＰＣｅｌｌまたはＳＣｅｌｌ接続モジュール８９０とともに、ＳＣｅｌｌ接続を確立および／または解放することに関する様々な態様を処理し得る。基地局１０５−ｈがＰＣｅｌｌに対応するとき、モジュール８９０は、図６ＢのＰＣｅｌｌ接続モジュール６４０によって与えられる機能の一部または全部を実施するように構成され得る。一方、基地局１０５−ｈがＳＣｅｌｌに対応するとき、モジュール８９０は、図６ＣのＳＣｅｌｌ接続モジュール６７０によって与えられる機能の一部または全部を実施するように構成され得る。
【００９５】
[0113]トランシーバモジュール８５０は、パケットを変調し、変調されたパケットを送信のためにアンテナ８６０に与え、アンテナ８６０から受信されたパケットを復調するように構成されたモデムを含み得る。トランシーバモジュール８５０は、１つまたは複数の送信機モジュールおよび１つまたは複数の別個の受信機モジュールとして実装され得る。
【００９６】
[0114]図８のアーキテクチャによれば、基地局１０５−ｈは、通信管理モジュール８４０をさらに含み得る。通信管理モジュール８４０は、図１、図２Ａ、および図２Ｂのシステム１００、２００、および２００−ａに示す基地局および／または他のデバイスとの通信を管理し得る。例として、通信管理モジュール８４０は、（図８に示す）バスを介して、基地局１０５−ｈの他の構成要素の一部または全部と通信している基地局１０５−ｈの構成要素であり得る。代替的に、通信管理モジュール８４０の機能は、トランシーバモジュール８５０の構成要素として、コンピュータプログラム製品として、および／またはプロセッサモジュール８１０の１つまたは複数のコントローラ要素として実装され得る。
【００９７】
[0115]ＰＣｅｌｌまたはＳＣｅｌｌ接続モジュール８９０は、基地局１０５−ｈがＰＣｅｌｌに対応するとき、図６Ｂの接続確立モジュール６５０の一例であり得る接続確立モジュール８９２を含み得る。また、接続確立モジュール８９２は、基地局１０５−ｈがＳＣｅｌｌに対応するとき、図６Ｃの接続確立モジュール６８０の一例であり得る。ＰＣｅｌｌまたはＳＣｅｌｌ接続モジュール８９０はまた、基地局１０５−ｈがＰＣｅｌｌに対応するとき、図６Ｂの接続解放モジュール６５５の一例であり得る接続解放モジュール８９４を含み得る。代替的に、接続解放モジュール８９４は、基地局１０５−ｈがＳＣｅｌｌに対応するとき、図６Ｃの接続解放モジュール６８５の一例であり得る。
【００９８】
[0116]基地局１０５−ｈの構成要素は、図５、図６Ｂ、および図６Ｃに関して上記で説明した態様を実装するように構成され得、それらの態様は簡潔のためにここで繰り返されないことがある。さらに、基地局１０５−ｈの構成要素は、図１３、図１４、図１５、および図１６に関して以下で説明する態様を実装するように構成され得、それらの態様はやはり簡潔のためにここで繰り返されないことがある。
【００９９】
[0117]次に図９を参照すると、基地局１０５−ｋとユーザ機器またはＵＥ１１５−ｇとを含む多入力多出力（ＭＩＭＯ）通信システム９００のブロック図が示されている。ユーザ機器１１５−ｇは、複数のセルとの同時通信をサポートし得る。基地局１０５−ｋは、図１、図２Ａ、図２Ｂ、および図８の基地局１０５の一例であり得、一方、ユーザ機器１１５−ｇは、図１、図２Ａ、図２Ｂ、図４Ａ、図４Ｂ、図４Ｃ、および図７のユーザ機器１１５の一例であり得る。システム９００は、図１のシステム１００の態様と、図２Ａのシステム２００の態様と、図２Ｂのシステム２００−ａの態様とを示し得る。
【０１００】
[0118]基地局１０５−ｋは、アンテナ９３４−ａ〜９３４−ｘを装備し得、ユーザ機器１１５−ｇは、アンテナ９５２−ａ〜９５２−ｎを装備し得る。システム９００では、基地局１０５−ｋは、複数の通信リンクを介してデータを同時に送ることが可能であり得る。各通信リンクは「レイヤ」と呼ばれることがあり、通信リンクの「ランク」は、通信のために使用されるレイヤの数を示し得る。たとえば、基地局８００が２つの「レイヤ」を送信する２×２ＭＩＭＯシステムでは、基地局１０５−ｋとユーザ機器１１５−ｇとの間の通信リンクのランクは２である。
【０１０１】
[0119]基地局１０５−ｋにおいて、送信（Ｔｘ）プロセッサ９２０は、データソースからデータを受信し得る。送信プロセッサ９２０はデータを処理し得る。送信プロセッサ９２０はまた、基準シンボルと、セル固有基準信号とを生成し得る。送信（Ｔｘ）ＭＩＭＯプロセッサ９３０は、適用可能な場合、データシンボル、制御シンボル、および／または基準シンボルに対して空間処理（たとえば、プリコーディング）を実施し得、出力シンボルストリームを送信変調器９３２−ａ〜９３２−ｘに与え得る。各変調器９３２は、出力サンプルストリームを取得するために、（たとえば、ＯＦＤＭなどのための）それぞれの出力シンボルストリームを処理し得る。各変調器９３２は、ダウンリンク（ＤＬ）信号を取得するために、出力サンプルストリームをさらに処理（たとえば、アナログ変換、増幅、フィルタ、およびアップコンバート）し得る。一例では、変調器９３２−ａ〜９３２−ｘからのＤＬ信号は、それぞれアンテナ９３４−ａ〜９３４−ｘを介して送信され得る。
【０１０２】
[0120]ユーザ機器１１５−ｇにおいて、アンテナ９５２−ａ〜９５２−ｎは、基地局１０５−ｋからＤＬ信号を受信し得、受信された信号をそれぞれ復調器９５４−ａ〜９５４−ｎに与え得る。各復調器９５４は、入力サンプルを取得するために、それぞれの受信された信号を調整（たとえば、フィルタ、増幅、ダウンコンバート、およびデジタル化）し得る。各復調器９５４は、受信シンボルを取得するために、（たとえば、ＯＦＤＭなどのために）入力サンプルをさらに処理し得る。ＭＩＭＯ検出器９５６は、すべての復調器９５４−ａ〜９５４−ｎから受信シンボルを取得し、適用可能な場合は受信シンボルに対してＭＩＭＯ検出を実施し、検出されたシンボルを与え得る。受信（Ｒｘ）プロセッサ９５８が、検出されたシンボルを処理（たとえば、復調、デインターリーブ、および復号）し、ユーザ機器１１５−ｇの復号されたデータをデータ出力に与え、復号された制御情報をプロセッサ９８０、またはメモリ９８２に与え得る。プロセッサ９８０は、ＳＣｅｌｌ接続を確立することに関する様々な機能を実施し得るモジュールまたは機能９８１を含み得る。たとえば、モジュールまたは機能９８１は、ＵＥ中で使用するように構成されるとき図５のデバイス５００、および／または、それぞれ図６Ａおよび図７のＵＥ接続モジュール６１０および６１０−ａに関して上記で説明した機能の一部または全部を実施し得る。
【０１０３】
[0121]アップリンク（ＵＬ）上で、ユーザ機器１１５−ｇにおいて、送信（Ｔｘ）プロセッサ９６４がデータソースからデータを受信し、処理し得る。送信プロセッサ９６４はまた、基準信号のための基準シンボルを生成し得る。送信プロセッサ９６４からのシンボルは、適用可能な場合は送信（Ｔｘ）ＭＩＭＯプロセッサ９６６によってプリコードされ、さらに（たとえば、ＳＣ−ＦＤＭＡなどのために）復調器９５４−ａ〜９５４−ｎによって処理され、基地局１０５−ｋから受信した送信パラメータに従って基地局１０５−ｋに送信され得る。基地局１０５−ｋにおいて、ユーザ機器１１５−ｇからのＵＬ信号は、アンテナ９３４によって受信され、復調器９３２によって処理され、適用可能な場合はＭＩＭＯ検出器９３６によって検出され、さらに受信プロセッサによって処理され得る。受信（Ｒｘ）プロセッサ９３８は、復号データをデータ出力とプロセッサ９４０とに与え得る。プロセッサ９４０は、ＳＣｅｌｌ接続を確立することに関係し得るモジュールまたは機能９４１を含み得る。たとえば、モジュールまたは機能９４１は、ＰＣｅｌｌまたはＳＣｅｌｌ中で使用するように構成されるとき図５のデバイス５００、図６ＢのＰＣｅｌｌ接続モジュール６４０、図６ＣのＳＣｅｌｌ接続モジュール６７０、および／あるいは図８のＰＣｅｌｌまたはＳＣｅｌｌ接続モジュール８９０に関して上記で説明した機能の一部または全部を実施し得る。追加または代替として、プロセッサは、本明細書で説明する機能の一部または全部を実施するようにプロセッサ９４０によって実行可能な命令を含み得るメモリ９４２と電子通信していることがある。
【０１０４】
[0122]基地局１０５−ｋの構成要素は、個別にまたは集合的に、ハードウェア中の適用可能な機能の一部または全部を実施するように適応された１つまたは複数の特定用途向け集積回路（ＡＳＩＣ）を用いて実装され得る。言及したモジュールの各々は、システム９００の動作に関係する１つまたは複数の機能を実行するための手段であり得る。同様に、ユーザ機器１１５−ｇの構成要素は、個別にまたは集合的に、ハードウェア中の適用可能な機能の一部または全部を実行するように適応された１つまたは複数の特定用途向け集積回路（ＡＳＩＣ）を用いて実装され得る。言及した構成要素の各々は、システム９００の動作に関係する１つまたは複数の機能を実行するための手段であり得る。
【０１０５】
[0123]次に図１０を参照すると、様々な実施形態による、ワイヤレス通信システムにおいてワイヤレスデバイスによってＳＣｅｌｌ接続を確立するための方法１０００のフローチャートが与えられている。方法１０００は、たとえば、図１、図２Ａ、図２Ｂ、図４Ａ、図４Ｂ、図４Ｃ、図７、および図９のユーザ機器１１５、図５のデバイス５００、図６Ａおよび図７のＵＥ接続モジュール６１０、ならびに／または、それぞれ、図１、図２Ａ、および図２Ｂのシステム１００、２００、および２００−ａを使用して実装され得る。
【０１０６】
[0124]ブロック１００５において、ワイヤレスデバイス（たとえば、ＵＥ１１５）は、第１のセル（たとえば、ＰＣｅｌｌ２１０、２１０−ａ、セル２３０、２４０、２５０、２６０、２３０−ａ、２４０−ａ、２５０−ａ、２６０−ａ）から選択パラメータを受信する。ブロック１０１０において、ワイヤレスデバイスは、第１のセルからの選択パラメータに少なくとも部分的に基づいて第２のセル（たとえば、ＳＣｅｌｌ２２０、２２０−ａ、セル２３０、２４０、２５０、２６０、２３０−ａ、２４０−ａ、２５０−ａ、２６０−ａ）を識別および選択する。第１のセルと第２のセルとがコロケートされないように、第１のセルは第１の基地局に関連付けられ得、第２のセルは第２の基地局に関連付けられ得る。さらに、第１のセルと第２のセルとは互いに通信しており、ワイヤレスデバイスへのデータの複数のフロー（すなわち、マルチフロー）が可能になる。ブロック１０１５において、ワイヤレスデバイスは、第２のセルとの独立した接続を確立する。ブロック１０２０において、ワイヤレスデバイスは、第１のセルおよび第２のセルと同時に通信する。
【０１０７】
[0125]方法１０００のいくつかの実施形態では、第１のセルから選択パラメータを受信することは、第２のセルを選択すべき候補セルのセットを受信することを含む。第２のセルの無線アクセス技術は第１のセルのＲＡＴとは異なり得る。候補セルのセットは、複数の無線アクセス技術（ＲＡＴ）のセルを含み得る。セット中の各候補セルは、セル識別子、グローバルセル識別子、追跡エリアコード、キャリア周波数、ロケーションエリアコード、ルーティングエリアコード、サービスセット識別子（ＳＳＩＤ）、基本サービスセット識別子（ＢＳＳＩＤ）、または同種拡張サービスセット識別子（ＨＥＳＳＩＤ）のうちの少なくとも１つによって識別され得る。いくつかの実施形態では、第１のセルから受信された選択パラメータは、基準信号受信電力、基準信号受信品質、ワイヤレスローカルエリアネットワーク（ＷＬＡＮ）負荷、基本サービスセット（ＢＳＳ）負荷、またはワイドエリアネットワーク（ＷＡＮ）メトリックのうちの少なくとも１つを含み得る。
【０１０８】
[0126]方法１０００のいくつかの実施形態では、本方法は、セット中の各候補セルに関連するパラメータを決定することと、第２のセルに関連する決定されたパラメータに少なくとも部分的に基づいてセットから第２のセルを選択することとを含む。
【０１０９】
[0127]方法１０００のいくつかの実施形態では、第１のセルおよび第２のセルと同時に通信することは、第１のコンポーネントキャリアを使用して第１のセルと通信することと、第２のコンポーネントキャリアを使用して第２のセルと通信することとを含む。
【０１１０】
[0128]方法１０００のいくつかの実施形態では、第２のセルとの独立した接続を確立することは、第２のセルに初期アクセスメッセージを送信することと、初期アクセスメッセージに応答して第２のセルから応答メッセージを受信することとを含む。
【０１１１】
[0129]方法１０００のいくつかの実施形態では、本方法は、第１のセルから、ワイヤレスデバイスが第２のセルとの独立した接続を確立することが許されるというインジケーションを受信することを含む。
【０１１２】
[0130]方法１０００のいくつかの実施形態では、本方法は、バッファ中のアップリンクデータの量がしきい値を上回るかどうかを決定することと、バッファ中のアップリンクデータの量がしきい値を上回るとき、第２のセルとの独立した接続を確立することとを含む。いくつかの実施形態では、本方法は、利用可能なアップリンクデータがあるかどうかを検出することと、利用可能なアップリンクデータが検出されるとき、第２のセルとの独立した接続を確立することとを含む。利用可能なアップリンクデータは、サービス品質とベアラ識別子とのうちの選択された１つまたは複数に関連付けられ得る。いくつかの実施形態では、独立した接続は、検出されたアップリンクデータに関連するアプリケーションのタイプに少なくとも部分的に基づいて第２のセルとの間で確立される。
【０１１３】
[0131]方法１０００のいくつかの実施形態では、本方法は、利用可能なダウンリンクデータがあるかどうかを検出することと、利用可能なダウンリンクデータが検出されるとき、第２のセルとの独立した接続を確立することとを含む。ダウンリンクデータは、サービス品質とベアラ識別子とのうちの選択された１つまたは複数に関連付けられ得る。いくつかの実施形態では、独立した接続は、検出されたダウンリンクデータに関連するアプリケーションのタイプに少なくとも部分的に基づいて第２のセルとの間で確立される。
【０１１４】
[0132]方法１０００のいくつかの実施形態では、本方法は、第１のセルからセル負荷インジケーションを受信することと、第１のセルから受信されたセル負荷インジケーションに少なくとも部分的に基づいて第２のセルとの独立した接続を確立することとを含む。いくつかの実施形態では、本方法は、第２のセルからセル負荷インジケーションを受信することと、第２のセルから受信されたセル負荷インジケーションに少なくとも部分的に基づいて第２のセルを選択することとを含む。
【０１１５】
[0133]方法１０００のいくつかの実施形態では、第１のセルおよび第２のセルと同時に通信することは、第１のセルに関連する第１のスケジューラに従って第１のセルと通信しながら、第２のセルに関連する第２のスケジューラに従って第２のセルと同時に通信することを含む。
【０１１６】
[0134]図１１を参照すると、様々な実施形態による、ワイヤレス通信システムにおいてワイヤレスデバイスによってＳＣｅｌｌ接続を確立するための方法１１００のフローチャートが与えられている。方法１１００は、上記の方法１０００と同様に、たとえば、図１、図２Ａ、図２Ｂ、図４Ａ、図４Ｂ、図４Ｃ、図７、および図９のユーザ機器１１５、図５のデバイス５００、図６Ａおよび図７のＵＥ接続モジュール６１０、ならびに／または、それぞれ、図１、図２Ａ、および図２Ｂのシステム１００、２００、および２００−ａを使用して実装され得る。
【０１１７】
[0135]ブロック１１０５において、ワイヤレスデバイス（たとえば、ＵＥ１１５）は、第１のセル（たとえば、ＰＣｅｌｌ２１０、２１０−ａ、セル２３０、２４０、２５０、２６０、２３０−ａ、２４０−ａ、２５０−ａ、２６０−ａ）から候補セルのセットを受信する。ブロック１１１０において、ワイヤレスデバイスは、セット中の候補セルごとに１つまたは複数のパラメータ（たとえば、ＲＳＲＰ、ＲＳＲＱ）を測定する。ブロック１１１５において、ワイヤレスデバイスは、測定された１つまたは複数のパラメータに少なくとも部分的に基づいて第２のセル（たとえば、ＳＣｅｌｌ２２０、２２０−ａ、セル２３０、２４０、２５０、２６０、２３０−ａ、２４０−ａ、２５０−ａ、２６０−ａ）を識別および選択する。第１のセルは第１の基地局に関連付けられ、第２のセルは第２の基地局に関連付けられる。さらに、第１のセルと第２のセルとは互いに通信している。ブロック１１２０において、ワイヤレスデバイスは、第２のセルとの独立した接続を確立する。ブロック１１２５において、ワイヤレスデバイスは、第１のセルおよび第２のセルと同時に通信する。
【０１１８】
[0136]図１２を参照すると、様々な実施形態による、ワイヤレス通信システムにおいてワイヤレスデバイスによってＳＣｅｌｌ接続を確立するための方法１２００のフローチャートが与えられている。方法１２００は、上記の方法１０００および１１００と同様に、たとえば、図１、図２Ａ、図２Ｂ、図４Ａ、図４Ｂ、図４Ｃ、図７、および図９のユーザ機器１１５、図５のデバイス５００、図６Ａおよび図７のＵＥ接続モジュール６１０、ならびに／または、それぞれ、図１、図２Ａ、および図２Ｂのシステム１００、２００、および２００−ａを使用して実装され得る。
【０１１９】
[0137]ブロック１２０５において、ワイヤレスデバイス（たとえば、ＵＥ１１５）は、第１のセル（たとえば、ＰＣｅｌｌ２１０、２１０−ａ、セル２３０、２４０、２５０、２６０、２３０−ａ、２４０−ａ、２５０−ａ、２６０−ａ）から、ワイヤレスデバイスが第２のセル（たとえば、ＳＣｅｌｌ２２０、２２０−ａ、セル２３０、２４０、２５０、２６０、２３０−ａ、２４０−ａ、２５０−ａ、２６０−ａ）との独立した接続を確立することが許されるというインジケーションを受信する。ブロック１２１０において、ワイヤレスデバイスは第１のセルから選択パラメータを受信する。ブロック１２１５において、ワイヤレスデバイスは、選択パラメータに少なくとも部分的に基づいて第２のセルを識別および選択する。第１のセルは第１の基地局に関連付けられ、第２のセルは第２の基地局に関連付けられる。さらに、第１のセルと第２のセルとは互いに通信している。ブロック１２２０において、ワイヤレスデバイスは、ランダムアクセスプロシージャを使用して第２のセルとの独立した接続を確立する。ブロック１２２５において、ワイヤレスデバイスは、第１のセルおよび第２のセルと同時に通信し、ここで、第１のセルとの通信は第１のコンポーネントキャリアを使用し、第２のセルとの通信は第２のコンポーネントキャリアを使用する。
【０１２０】
[0138]次に図１３を参照すると、様々な実施形態による、ワイヤレス通信システムにおいてＳＣｅｌｌ接続を確立することに関するＰＣｅｌｌの態様を説明する方法１３００のフローチャートが与えられている。方法１３００は、たとえば、図１、図２Ａ、図２Ｂ、図８、および図９の基地局１０５、図２Ａ、図４Ａ、および図４ＢのＰＣｅｌｌ２１０、図５のデバイス５００、図６ＢのＰＣｅｌｌ接続モジュール６４０、図８のモジュール８９０、ならびに／またはそれぞれ、図１、図２Ａ、および図２Ｂのシステム１００、２００、および２００−ａを使用して実装され得る。
【０１２１】
[0139]ブロック１３０５において、第１のセル（たとえば、ＰＣｅｌｌ２１０、２１０−ａ）は、独立した接続を確立すべき第２のセル（たとえば、ＳＣｅｌｌ２２０、２２０−ａ、セル２３０、２４０、２５０、２６０、２３０−ａ、２４０−ａ、２５０−ａ、２６０−ａ）を選択する際に使用すべきワイヤレスデバイスのための基準を確立するためにワイヤレスデバイス（たとえば、ＵＥ１１５）に選択パラメータを送信する。第１のセルは第１の基地局に関連付けられ、第２のセルは第２の基地局に関連付けられる。さらに、第１のセルと第２のセルとはそれぞれと通信している。
【０１２２】
[0140]ブロック１３１０において、ワイヤレスデバイスと第２のセルとの間の接続が確立され、ワイヤレスデバイスが第２のセルと通信しているとき、第１のセルはワイヤレスデバイスと通信する。
【０１２３】
[0141]図１４を参照すると、様々な実施形態による、ワイヤレス通信システムにおいてＳＣｅｌｌ接続を確立することに関するＰＣｅｌｌの態様を説明する方法１４００のフローチャートが与えられている。方法１４００は、上記の方法１３００と同様に、たとえば、図１、図２Ａ、図２Ｂ、図８、および図９の基地局１０５、図２Ａ、図４Ａ、および図４ＢのＰＣｅｌｌ２１０、図５のデバイス５００、図６ＢのＰＣｅｌｌ接続モジュール６４０、図８のモジュール８９０、ならびに／またはそれぞれ、図１、図２Ａ、および図２Ｂのシステム１００、２００、および２００−ａを使用して実装され得る。
【０１２４】
[0142]ブロック１４０５において、第１のセル（たとえば、ＰＣｅｌｌ２１０、２１０−ａ）は、独立した接続を確立すべき第２のセル（たとえば、ＳＣｅｌｌ２２０、２２０−ａ、セル２３０、２４０、２５０、２６０、２３０−ａ、２４０−ａ、２５０−ａ、２６０−ａ）を選択する（たとえば、自律的に選択する）ことをワイヤレスデバイスに行わせるようにワイヤレスデバイス（たとえば、ＵＥ１１５）にコマンドを送信する。ブロック１４１０において、第１のセルは、第２のセルを選択する際に使用すべきワイヤレスデバイスのための基準を確立するためにワイヤレスデバイスに選択パラメータを送信する。第１のセルは第１の基地局に関連付けられ、第２のセルは第２の基地局に関連付けられる。さらに、第１のセルと第２のセルとはそれぞれと通信している。
【０１２５】
[0143]ブロック１４１５において、第１のセルは、第２のセルから、ワイヤレスデバイスと第２のセルとの間の接続が確立されたというインジケーションを受信する。ブロック１４２０において、第１のセルは、ワイヤレスデバイスが第２のセルと同時に通信している間にワイヤレスデバイスと通信する。
【０１２６】
[0144]次に図１５を参照すると、様々な実施形態による、ワイヤレス通信システムにおいてＳＣｅｌｌによってＳＣｅｌｌ接続を確立するための方法１５００のフローチャートが与えられている。方法１５００は、たとえば、図１、図２Ａ、図２Ｂ、図８、および図９の基地局１０５、図２Ａ、図４Ａ、および図４ＢのＳＣｅｌｌ２２０、図２Ｂおよび図４Ｃのセル２３０、２４０、２５０、および２６０、図５のデバイス５００、図６ＣのＳＣｅｌｌ接続モジュール６７０、図８のモジュール８９０、ならびに／またはそれぞれ、図１、図２Ａ、および図２Ｂのシステム１００、２００、および２００−ａを使用して実装され得る。
【０１２７】
[0145]ブロック１５０５において、第２のセル（たとえば、ＳＣｅｌｌ２２０、２２０−ａ、セル２３０、２４０、２５０、２６０、２３０−ａ、２４０−ａ、２５０−ａ、２６０−ａ）は、第１のセル（たとえば、ＰＣｅｌｌ２１０、２１０−ａ、セル２３０、２４０、２５０、２６０、２３０−ａ、２４０−ａ、２５０−ａ、２６０−ａ）からワイヤレスデバイスによって受信された選択パラメータに少なくとも部分的に基づいてワイヤレスデバイス（たとえば、ＵＥ１１５）から接続したいという要求を受信する。ブロック１５１０において、第２のセルは、ワイヤレスデバイスとの接続を確立する。ブロック１５１５において、第２のセルは、第１のセルがワイヤレスデバイスと同時に通信している間にワイヤレスデバイスと通信する。第１のセルは第１の基地局に関連付けられ、第２のセルは第２の基地局に関連付けられる。さらに、第１のセルと第２のセルとはそれぞれと通信している。
【０１２８】
[0146]図１６を参照すると、様々な実施形態による、ワイヤレス通信システムにおいてＳＣｅｌｌによってＳＣｅｌｌ接続を確立するための方法１６００のフローチャートが与えられている。方法１６００は、上記の方法１５００と同様に、たとえば、図１、図２Ａ、図２Ｂ、図８、および図９の基地局１０５、図２Ａ、図４Ａ、および図４ＢのＳＣｅｌｌ２２０、図２Ｂおよび図４Ｃのセル２３０、２４０、２５０、および２６０、図５のデバイス５００、図６ＣのＳＣｅｌｌ接続モジュール６７０、図８のモジュール８９０、ならびに／またはそれぞれ、図１、図２Ａ、および図２Ｂのシステム１００、２００、および２００−ａを使用して実装され得る。
【０１２９】
[0147]ブロック１６０５において、第２のセル（たとえば、ＳＣｅｌｌ２２０、２２０−ａ、セル２３０、２４０、２５０、２６０、２３０−ａ、２４０−ａ、２５０−ａ、２６０−ａ）は、第１のセル（たとえば、ＰＣｅｌｌ２１０、２１０−ａ、セル２３０、２４０、２５０、２６０、２３０−ａ、２４０−ａ、２５０−ａ、２６０−ａ）からワイヤレスデバイスによって受信された選択パラメータに少なくとも部分的に基づいてワイヤレスデバイス（たとえば、ＵＥ１１５）から接続したいという要求を受信する。ブロック１６１０において、第２のセルは、ワイヤレスデバイスとの接続を確立する。ブロック１６１５において、第２のセルは、第１のセルに、ワイヤレスデバイスと第２のセルとの間の接続が確立されたというインジケーションを送信する。ブロック１６２０において、第２のセルは、第１のセルがワイヤレスデバイスと同時に通信している間にワイヤレスデバイスと通信する。第１のセルは第１の基地局に関連付けられ、第２のセルは第２の基地局に関連付けられる。さらに、第１のセルと第２のセルとはそれぞれと通信している。
【０１３０】
[0148]添付の図面に関して上記に記載した詳細な説明は、例示的な実施形態について説明しており、実装され得るまたは特許請求の範囲内に入る実施形態のみを表すものではない。詳細な説明は、説明した技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスがブロック図の形式で示されている。
【０１３１】
[0149]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１３２】
[0150]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替実施形態では、プロセッサは、任意の従来型プロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１３３】
[0151]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の一部が異なる物理的ロケーションに実装されるように分散されることを含めて、様々な位置に物理的に配置され得る。また、特許請求の範囲を含めて、本明細書で使用される場合、「のうちの少なくとも１つ」で終わる項目の列挙中で使用される「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０１３４】
[0152]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスできる任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得るし、汎用もしくは専用のコンピュータ、または汎用もしくは専用のプロセッサによってアクセスされ得る、任意の他の媒体を備えることができる。また、いかなる接続もコンピュータ可読媒体と適切に呼ばれる。たとえば、同軸ケーブル、光ファイバーケーブル、ツイストペア、デジタル加入者線（「ＤＳＬ」）、または赤外線、無線、およびマイクロ波などのワイヤレス技術を使用して、ソフトウェアがウェブサイト、サーバまたは他の遠隔ソースから送信される場合、同軸ケーブル、光ファイバーケーブル、ツイストペア、ＤＳＬ、または赤外線、無線、およびマイクロ波などワイヤレス技術は、媒体の定義に含まれる。本明細書において、ディスク（disk）およびディスク（disc）は、コンパクトディスク（ＣＤ）、レーザーディスク（登録商標）、光ディスク、デジタルバーサタイルディスク（ＤＶＤ）、フロッピー（登録商標）ディスクおよびブルーレイ（登録商標）ディスクを含み、この場合、ディスク（disk）は、通常、磁気的にデータを再生し、ディスク（disc）は、レーザーを用いてデータを光学的に再生する。上記の組合せもコンピュータ可読媒体の範囲内に含まれる。
【０１３５】
[0153]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ワイヤレスデバイスによるワイヤレス通信のための方法であって、
第１のセルから選択パラメータを受信することと、
前記第１のセルから受信された前記選択パラメータに少なくとも部分的に基づいて第２のセルを識別および選択すること、前記第１のセルは、第１の基地局に関連付けられ、前記第２のセルは、第２の基地局に関連付けられ、前記第１のセルと前記第２のセルとが互いに通信している、と、
前記第２のセルとの独立した接続を確立することと、
前記第１のセルおよび前記第２のセルと同時に通信することと
を備える、方法。
［Ｃ２］
前記第１のセルから前記選択パラメータを受信することは、
前記第２のセルを選択すべき候補セルのセットを受信することを備える、
［Ｃ１］に記載の方法。
［Ｃ３］
前記候補セルのセットは、複数の無線アクセス技術（ＲＡＴ）のセルを備える、
［Ｃ２］に記載の方法。
［Ｃ４］
前記セット中の各候補セルは、
セル識別子、
グローバルセル識別子、
追跡エリアコード、
キャリア周波数、
ロケーションエリアコード、
ルーティングエリアコード、
サービスセット識別子（ＳＳＩＤ）、
基本サービスセット識別子（ＢＳＳＩＤ）、または
同種拡張サービスセット識別子（ＨＥＳＳＩＤ）
のうちの少なくとも１つによって識別される、［Ｃ２］に記載の方法。
［Ｃ５］
前記第２のセルの無線アクセス技術（ＲＡＴ）は、前記第１のセルのＲＡＴとは異なる、
［Ｃ１］に記載の方法。
［Ｃ６］
前記第１のセルと前記第２のセルが互いに通信していることは、バックホールリンクを介して通信していることを備える、
［Ｃ１］に記載の方法。
［Ｃ７］
前記第１のセルから受信された前記選択パラメータが、
基準信号受信電力、
基準信号受信品質、
ワイヤレスローカルエリアネットワーク（ＷＬＡＮ）負荷、
基本サービスセット（ＢＳＳ）負荷、または
ワイドエリアネットワーク（ＷＡＮ）メトリック
のうちの少なくとも１つを備える、［Ｃ１］に記載の方法。
［Ｃ８］
前記第１のセルおよび前記第２のセルと同時に通信することは、
第１のコンポーネントキャリアを使用して前記第１のセルと通信することと、
第２のコンポーネントキャリアを使用して前記第２のセルと通信することと
を備える、［Ｃ１］に記載の方法。
［Ｃ９］
前記第２のセルとの前記独立した接続を確立することは、
前記第２のセルに初期アクセスメッセージを送信することと、
前記第２のセルから応答メッセージを受信することと
を備え、前記応答メッセージは、前記初期アクセスメッセージに応答する、
［Ｃ１］に記載の方法。
［Ｃ１０］
前記第１のセルから、前記ワイヤレスデバイスが前記第２のセルとの前記独立した接続を確立することが許されるというインジケーションを受信することをさらに備える、
［Ｃ１］に記載の方法。
［Ｃ１１］
候補セルのセット中の各候補セルに関連するパラメータを決定することと、
前記第２のセルに関連する前記決定されたパラメータに少なくとも部分的に基づいて前記セットから前記第２のセルを選択することと
をさらに備える、［Ｃ１］に記載の方法。
［Ｃ１２］
バッファ中のアップリンクデータの量がしきい値を上回るかどうかを決定することと、
前記バッファ中のアップリンクデータの前記量が前記しきい値を上回るとき、前記第２のセルとの前記独立した接続を確立することと
をさらに備える、［Ｃ１］に記載の方法。
［Ｃ１３］
利用可能なアップリンクデータがあるかどうかを検出することと、
利用可能なアップリンクデータが検出されるとき、前記第２のセルとの前記独立した接続を確立することと
をさらに備える、［Ｃ１］に記載の方法。
［Ｃ１４］
前記独立した接続は、前記検出されたアップリンクデータに関連するアプリケーションのタイプに少なくとも部分的に基づいて前記第２のセルとの間で確立される、
［Ｃ１３］に記載の方法。
［Ｃ１５］
利用可能なダウンリンクデータがあるかどうかを検出することと、
利用可能なダウンリンクデータが検出されるとき、前記第２のセルとの前記独立した接続を確立することと
をさらに備える、［Ｃ１］に記載の方法。
［Ｃ１６］
前記独立した接続は、前記検出されたダウンリンクデータに関連するアプリケーションのタイプに少なくとも部分的に基づいて前記第２のセルとの間で確立される、
［Ｃ１５］に記載の方法。
［Ｃ１７］
前記第１のセルからセル負荷インジケーションを受信することと、
前記第１のセルから受信された前記セル負荷インジケーションに少なくとも部分的に基づいて前記第２のセルとの前記独立した接続を確立することと
をさらに備える、［Ｃ１］に記載の方法。
［Ｃ１８］
前記第２のセルからセル負荷インジケーションを受信することと、
前記第２のセルから受信された前記セル負荷インジケーションに少なくとも部分的に基づいて前記第２のセルを選択することと
をさらに備える、［Ｃ１］に記載の方法。
［Ｃ１９］
前記第１のセルおよび前記第２のセルと同時に通信することは、
前記第１のセルに関連する第１のスケジューラに従って前記第１のセルと通信しながら、前記第２のセルに関連する第２のスケジューラに従って前記第２のセルと同時に通信すること
を備える、［Ｃ１］に記載の方法。
［Ｃ２０］
ワイヤレス通信のための装置であって、
第１のセルから選択パラメータを受信するための手段と、
前記第１のセルから受信された前記選択パラメータに少なくとも部分的に基づいて第２のセルを識別および選択するための手段、前記第１のセルは、第１の基地局に関連付けられ、前記第２のセルは、第２の基地局に関連付けられ、前記第１のセルと前記第２のセルとは、互いに通信している、と、
前記第２のセルとの独立した接続を確立するための手段と、
前記第１のセルおよび前記第２のセルと同時に通信するための手段と
を備える、装置。
［Ｃ２１］
前記第１のセルから選択パラメータを受信するための前記手段は、
前記第２のセルを選択すべき候補セルのセットを受信するための手段を備える、
［Ｃ２０］に記載の装置。
［Ｃ２２］
前記候補セルのセットは、複数の無線アクセス技術（ＲＡＴ）のセルを備える、
［Ｃ２１］に記載の装置。
［Ｃ２３］
前記第２のセルの無線アクセス技術（ＲＡＴ）は、前記第１のセルのＲＡＴとは異なる、
［Ｃ２０］に記載の装置。
［Ｃ２４］
前記第２のセルとの前記独立した接続を確立するための前記手段は、
前記第２のセルに初期アクセスメッセージを送信するための手段と、
前記第２のセルから応答メッセージを受信するための手段と
を備え、前記応答メッセージは、前記初期アクセスメッセージに応答する、
［Ｃ２０］に記載の装置。
［Ｃ２５］
前記第１のセルから、前記デバイスが前記第２のセルとの前記独立した接続を確立することが許されるというインジケーションを受信するための手段をさらに備える、
［Ｃ２０］に記載の装置。
［Ｃ２６］
候補セルのセット中の各候補セルに関連するパラメータを決定するための手段と、
前記第２のセルに関連する前記決定されたパラメータに少なくとも部分的に基づいて前記セットから前記第２のセルを選択するための手段と
をさらに備える、［Ｃ２０］に記載の装置。
［Ｃ２７］
前記第１のセルおよび前記第２のセルと同時に通信するための前記手段は、
前記第１のセルに関連する第１のスケジューラに従って前記第１のセルと通信しながら、前記第２のセルに関連する第２のスケジューラに従って前記第２のセルと同時に通信するための手段を備える、
［Ｃ２０］に記載の装置。
［Ｃ２８］
ワイヤレス通信のためのデバイスであって、
プロセッサと、
前記プロセッサと電子通信している、命令を実装するメモリとを備え、前記命令は、前記プロセッサによって、
第１のセルから選択パラメータを受信することと、
前記第１のセルから受信された前記選択パラメータに少なくとも部分的に基づいて第２のセルを識別および選択すること、前記第１のセルは、第１の基地局に関連付けられる、前記第２のセルは、第２の基地局に関連付けられ、前記第１のセルと前記第２のセルとは、互いに通信している、と、
前記第２のセルとの独立した接続を確立することと、
前記第１のセルおよび前記第２のセルと同時に通信することと
を行うように実行可能である、デバイス。
［Ｃ２９］
前記第１のセルから前記選択パラメータを受信することは、
前記第２のセルを選択すべき候補セルのセットを受信することを備える、
［Ｃ２８］に記載のデバイス。
［Ｃ３０］
ワイヤレス通信のためのコンピュータプログラム製品であって、
第１のセルから選択パラメータを受信することと、
前記第１のセルから受信された前記選択パラメータに少なくとも部分的に基づいて第２のセルを識別および選択すること、前記第１のセルは、第１の基地局に関連付けられる、前記第２のセルは、第２の基地局に関連付けられ、前記第１のセルと前記第２のセルとは、互いに通信している、と、
前記第２のセルとの独立した接続を確立することと、
前記第１のセルおよび前記第２のセルと同時に通信することと
を行うための、プロセッサによって実行可能な命令を記憶する非一時的コンピュータ可読媒体を備える、
コンピュータプログラム製品。
【図１】
0006576908.tif 000002
【図２Ａ】
0006576908.tif 000003
【図２Ｂ】
0006576908.tif 000004
【図３Ａ】
0006576908.tif 000005
【図３Ｂ】
0006576908.tif 000006
【図３Ｃ】
0006576908.tif 000007
【図４Ａ】
0006576908.tif 000008
【図４Ｂ】
0006576908.tif 000009
【図４Ｃ】
0006576908.tif 000010
【図５】
0006576908.tif 000011
【図６Ａ】
0006576908.tif 000012
【図６Ｂ】
0006576908.tif 000013
【図６Ｃ】
0006576908.tif 000014
【図７】
0006576908.tif 000015
【図８】
0006576908.tif 000016
【図９】
0006576908.tif 000017
【図１０】
0006576908.tif 000018
【図１１】
0006576908.tif 000019
【図１２】
0006576908.tif 000020
【図１３】
0006576908.tif 000021
【図１４】
0006576908.tif 000022
【図１５】
0006576908.tif 000023
【図１６】
0006576908.tif 000024